(57)【要約】【課題】各種情報が表示されるモニタの画像表示方法に操作上、外観上のわかり易さ、馴染み易さを与えることのできる情報表示装置を提供する。【解決手段】本発明に係る表示制御装置は、モニタ１６に対して画像信号を出力しモニタ１６に画像を表示させる表示制御手段６４、６７と、モニタ１６に表示された画像の一部を選択するための選択手段６、５２とを有している。表示制御手段６４、６７は、選択手段６、５２により選択可能な第一のタブ１５４をモニタ１６の画面の一方の端部に表示させ、第一のタブ１５４が選択手段６、５２により選択された場合には、第一のタブ１５４を画面の他方の端部に向けて移動させるとともに第一のタブ１５４に続く表示幕１５５を順次露出表示させることを特徴とする。【選択図】　図９
2004061523.tif 000002
【特許請求の範囲】
【請求項１】
モニタに対して画像信号を出力し前記モニタに画像を表示させる表示制御手段と、前記モニタに表示された画像の一部を選択するための選択手段とを有し、
前記表示制御手段は、前記選択手段により選択可能な第一のタブを前記モニタの画面の一方の端部に表示させ、前記第一のタブが前記選択手段により選択された場合には、前記第一のタブを前記画面の他方の端部に向けて移動させるとともに前記第一のタブに続く表示幕を順次露出表示させることを特徴とする表示制御装置。
【請求項２】
前記第一のタブが前記画面の他方の端部に表示されているときに前記選択手段により選択された場合には、
前記表示制御手段は、前記第一のタブを前記画面の一方の端部に向けて移動させるとともに前記表示幕を順次退出消去させることを特徴とする請求項１に記載の表示制御装置。
【請求項３】
前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、前記画面の一方の端部から他方の端部に向けて新たな表示幕を順次露出表示させることを特徴とする請求項１または請求項２に記載の表示制御装置。
【請求項４】
前記表示制御手段は、既に表示されている表示幕を前記画面の一方の端部の側に退出消去させた後に前記新たな表示幕を露出表示させることを特徴とする請求項３に記載の表示制御装置。
【請求項５】
モニタに対して画像信号を出力し前記モニタに画像を表示させる表示制御手段と、前記モニタに表示された画像の一部を選択するための選択手段とを有し、
前記表示制御手段は、前記選択手段により選択可能な第一のタブを前記モニタの画面の一方端部に表示させ、前記第一のタブが前記選択手段により選択された場合には、前記第一のタブを前記画面の他方の端部に表示させると同時に前記表示幕を前記モニタに表示させることを特徴とする表示制御装置。
【請求項６】
前記第一のタブが前記画面の他方の端部に位置しているときに前記選択手段により選択された場合には、
前記表示制御手段は、前記第一のタブを前記画面の一方の端部に表示させると同時に前記表示幕を消去させることを特徴とする請求項５に記載の表示制御装置。
【請求項７】
前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、前記表示幕が表示されている位置に新たな表示幕を表示させることを特徴とする請求項５又は請求項６に記載の表示制御装置。
【請求項８】
前記表示制御手段は、既に表示されている表示幕を消去させた後に新たな表示幕を表示させることを特徴とする請求項７に記載の表示制御装置。
【請求項９】
モニタに対して画像信号を出力し前記モニタに画像を表示させる表示制御手段と、前記モニタに表示された画像の一部を選択するための選択手段とを有し、
前記表示制御手段は、前記選択手段により選択可能な第一のタブを前記モニタの一方の端部に表示させ、前記第一のタブが前記選択手段により選択された場合には、表示幕を前記モニタに徐々に浮き上がらせるように表示させることを特徴とする表示制御装置。
【請求項１０】
前記第一のタブが前記画面の他方の端部に位置しているときに前記選択手段により選択された場合には、
前記表制御手段は、前記表示幕を徐々に消えていくように消去させることを特徴とする請求項９に記載の表示制御装置。
【請求項１１】
前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、新たな表示幕を前記モニタに徐々に浮き上がらせるようにして表示させることを特徴とする請求項９または請求項１０に記載の表示制御装置。
【請求項１２】
前記表示制御手段は、既に表示されている表示幕を前記モニタから徐々に消えていくように消去させた後に前記新たな表示幕を徐々に浮き上がらせるようにして表示させることを特徴とする請求項１１に記載の表示制御装置。
【請求項１３】
前記表示制御手段は、前記第一のタブが前記画面の他方の端部に位置して前記表示幕が表示されているときに、前記第二のタブを前記第一のタブと隣接するように表示させることを特徴とする請求項３、４、７、８、１１、１２のいずれか１項に記載の表示制御装置。
【請求項１４】
記録媒体に記録された情報を読み取る読取機構が複数設けられ、前記表示制御手段は、既に表示幕が表示されているときに前記選択手段により前記第二のタブが選択されるたびに、異なる読取機構の情報を表示した新たな表示幕を表示させることを特徴とする請求項請求項３、４、７、８、１１、１２、１３のいずれか１項に記載の表示制御装置。
【請求項１５】
モニタに対して画像信号を出力して前記モニタの画面に画像を表示させる表示制御手段と、前記モニタに表示された画像の一部を選択するための選択手段とを有し、
前記表示制御手段は、前記選択手段により選択可能な少なくとも１つのボタンを表示させ、該ボタンが前記選択手段により選択された場合に、表示幕を前記モニタの画面の一方の端部から他方の端部に向けて順次露出表示させることを特徴とする表示制御装置。
【請求項１６】
前記表示制御手段は、前記画面の一方の端部に前記選択手段により選択可能な第一のタブを表示させ、前記選択手段により該ボタンが選択された場合に、前記第一のタブを前記画面の一方の端部から他方の端部に向けて移動させるとともに、前記表示幕を前記第一のタブに続けて順次露出表示させることを特徴とする請求項１５に記載の表示制御装置。
【請求項１７】
前記第一のタブが前記画面の他方の端部に表示されているときに前記選択手段により選択された場合には、
前記表示制御手段は、前記第一のタブを前記画面の一方の端部に向けて移動させるとともに前記表示幕を順次退出消去させることを特徴とする請求項１５または請求項１６に記載の表示制御装置。
【請求項１８】
前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、前記画面の一方の端部から他方の端部に向けて新たな表示幕を順次露出表示させることを特徴とする請求項１５乃至請求項１７のいずれか１項に記載の表示制御装置。
【請求項１９】
前記表示制御手段は、既に表示されている表示幕を前記画面の一方の端部の側に退出消去させた後に前記新たな表示幕を露出表示させることを特徴とする請求項１８に記載の表示制御装置。
【請求項２０】
モニタに対して画像信号を出力して前記モニタの画面に画像を表示させる表示制御手段と、前記モニタに表示された画像の一部を選択するための選択手段とを有し、
前記表示制御手段は、前記選択手段により選択可能な少なくとも１つのボタンを表示させ、該ボタンが前記選択手段により選択された場合に、前記モニタの画面に表示幕を瞬時に表示させることを特徴とする表示制御装置。
【請求項２１】
前記表示制御手段は、前記画面の一方の端部に前記選択手段により選択可能な第一のタブを表示させ、前記選択手段により前記ボタンが選択された場合に、前記第一のタブを前記画面の他方の端部に表示させると同時に前記表示幕を表示させることを特徴とする請求項２０に記載の表示制御装置。
【請求項２２】
前記第一のタブが前記画面の他方の端部に表示されているときに前記選択手段により選択された場合には、
前記表示制御手段は、前記第一のタブを前記画面の一方の端部に表示させると同時に前記表示幕を消去させることを特徴とする請求項２１に記載の表示制御装置。
【請求項２３】
前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、前記画面に新たな表示幕を表示させることを特徴とする請求項２１又は２２に記載の表示制御装置。
【請求項２４】
前記表示制御手段は、既に表示されている表示幕を前記画面から消去させた後に前記新たな表示幕を表示させることを特徴とする請求項２３に記載の表示制御装置。
【請求項２５】
モニタに対して画像信号を出力して前記モニタの画面に画像を表示させる表示制御手段と、前記モニタに表示された画像の一部を選択するための選択手段とを有し、
前記表示制御手段は、前記選択手段により選択可能な少なくとも１つのボタンを表示させ、該ボタンが前記選択手段により選択された場合に、表示幕を前記画面に徐々に浮き上がらせるように表示させることを特徴とする表示制御装置。
【請求項２６】
前記表示制御手段は、前記画面の端部に前記選択手段により選択可能な第一のタブを表示させ、前記表示幕が表示されたときに前記第一のタブが前記選択手段により選択された場合に、前記表示幕を画面から徐々に消えていくように消去させることを特徴とする請求項２５に記載の表示制御装置。
【請求項２７】
前記表示制御手段は、前記選択手段により選択可能な第二のタブを前記画面の端部に表示させ、前記表示幕が表示されているときに前記第二のタブが前記選択手段により選択された場合には、前記画面に新たな表示幕を徐々に浮き上がらせるように表示させることを特徴とする請求項２５又は請求項２６に記載の表示制御装置。
【請求項２８】
前記表示制御手段は、既に表示されている表示幕を前記画面から徐々に消えていくように消去させた後に前記新たな表示幕を徐々に浮き上がるように表示させることを特徴とする請求項２７に記載の表示制御装置。
【請求項２９】
前記表示制御手段は、前記第一のタブが前記画面の他方の端部に位置して前記表示幕が表示されているときに、前記第二のタブを前記第一のタブと隣接するように表示させることを特徴とする請求項１８、１９、２３、２４、２７、２８のいずれか１項に記載の表示制御装置。
【請求項３０】
記録媒体に記録された情報を読み取る読取機構が複数設けられ、前記表示制御手段は、既に表示幕が表示されているときに前記選択手段により前記第二のタブが選択されるたびに、異なる読取機構の情報を表示した新たな表示幕を表示させることを特徴とする請求項１８、１９、２３、２４、２７、２８のいずれか１項に記載の表示制御装置。
【請求項３１】
前記表示制御手段は、縁部にベースリングが形成された略円形の情報表示部の周囲に前記ボタンを配置させて表示させることを特徴とする請求項１５乃至請求項３０のいずれか１項に記載の表示制御装置。
【請求項３２】
前記表示幕には、複数の情報が所定の方向に沿って配列されていることを特徴とする請求項１乃至請求項３１のいずれか１項に記載の表示制御装置。
【請求項３３】
前記表示制御手段は、前記表示幕に表示された情報のうち前記選択手段により選択された部分をフォーカス表示させることをことを特徴とする請求項１乃至請求項３２のいずれか１項に記載の表示制御装置。
【請求項３４】
前記表示制御手段は、前記表示幕に表示された情報のうち前記選択手段により選択された部分を反転表示させてフォーカス表示させることを特徴とする請求項３３に記載の表示制御装置。
【請求項３５】
前記表示制御手段は、前記表示幕に表示された情報のうち前記選択手段により選択された部分を拡大表示させてフォーカス表示させることを特徴とする請求項３３または請求項３４いずれか１項に記載の表示制御装置。
【請求項３６】
前記表示制御手段は、前記表示幕に表示された情報のうち前記選択手段により選択された部分の表示色を変更させてフォーカス表示させることを特徴とする請求項３３乃至請求項３５いずれか１項に記載の表示制御装置。
【請求項３７】
前記表示幕には、前記表示幕に表示される情報に関する処理を行うための操作ボタンが設けられていることを特徴とする請求項１乃至請求項３６のいずれか１項に記載の表示制御装置。
【請求項３８】
前記表示幕には、前記モニタに表示された前記表示幕の表示範囲を変更させるスクロールダイヤルが設けられていることを特徴とする請求項１乃至請求項３７のいずれか１項に記載の表示制御装置。
【請求項３９】
前記選択手段は、選択された画面の一部を前記モニタの接触位置より判断するタッチパネルであることを特徴とする請求項１乃至請求項３８のいずれか１項に記載の表示制御装置。
【請求項４０】
前記選択手段は、前記モニタの画面において選択される画面の一部の変更を行うためのコントローラであることを特徴とする請求項１乃至請求項３８のいずれか１項に記載の表示制御装置。
【発明の詳細な説明】
【発明の属する技術分野】
本発明は、例えば車両に搭載されて運転者に各種情報を呈示する表示制御装置に関する。
【従来の技術】
近年、カーナビゲーションシステムの普及等に代表されるような車両の情報化を背景として、液晶等のモニタが車載される機会が非常に多くなってきている。そのようなモニタには、カーナビゲーション用の地図画像のみならず、ＴＶ放送、オーディオ機器関連情報、交通情報、電話番号情報、車載カメラによる撮影映像等の各種の画像が切り替えて表示されることもあり、運転者はモニタを窓口として集約された各種情報を把握し、運転その他の操作を行っている。
【発明が解決しようとする課題】
ところで、上記のように様々な画像がモニタに切り替えて表示される場合、その画像のソースや目的をも超えて表示に統一感が与えられていたとは必ずしも言い難く、特にモニタに表示される画像が運転者に何らかの操作を要求するものである場合には、運転者がその画像固有の操作方法を覚えていなければ操作に戸惑い結局は目的を達し得ないこともあった。
特にモニタがこれまでのようにナビゲーション装置、オーディオ装置等のある機能を有する機器の共通の表示装置として使用されるのではなく、ナビゲーション機能もオーディオ機能も有する汎用性のあるコンピュータの表示装置として使用される場合には、アプリケーション上で表示の統一感を図っておくことが望ましい。
本発明は、上記の事情に鑑みて為されたもので、各種情報が表示されるモニタの画像表示方法に操作上、外観上のわかり易さ、馴染み易さを与えることのできる表示制御装置を提供することを課題としている。
【課題を解決するための手段】
上記課題を解決するため、請求項１に係る発明は、モニタに対して画像信号を出力し前記モニタに画像を表示させる表示制御手段と、前記モニタに表示された画像の一部を選択するための選択手段とを有し、前記表示制御手段は、前記選択手段により選択可能な第一のタブを前記モニタの画面の一方の端部に表示させ、前記第一のタブが前記選択手段により選択された場合には、前記第一のタブを前記画面の他方の端部に向けて移動させるとともに前記第一のタブに続く表示幕を順次露出表示させることを特徴とする表示制御装置。
請求項２に係る発明は、請求項１に記載の表示制御装置において、前記第一のタブが前記画面の他方の端部に表示されているときに前記選択手段により選択された場合には、前記表示制御手段は、前記第一のタブを前記画面の一方の端部に向けて移動させるとともに前記表示幕を順次退出消去させることを特徴とする。
請求項３に係る発明は、請求項１または請求項２に記載の表示制御装置において、前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、前記画面の一方の端部から他方の端部に向けて新たな表示幕を順次露出表示させることを特徴とする。
請求項４に係る発明は、請求項３に記載の表示制御装置において、前記表示制御手段は、既に表示されている表示幕を前記画面の一方の端部の側に退出消去させた後に前記新たな表示幕を露出表示させることを特徴とする。
請求項５に係る発明は、モニタに対して画像信号を出力し前記モニタに画像を表示させる表示制御手段と、前記モニタに表示された画像の一部を選択するための選択手段とを有し、前記表示制御手段は、前記選択手段により選択可能な第一のタブを前記モニタの画面の一方端部に表示させ、前記第一のタブが前記選択手段により選択された場合には、前記第一のタブを前記画面の他方の端部に表示させると同時に前記表示幕を前記モニタに表示させる表示制御装置であることを特徴とする。
請求項６に係る発明は、請求項５に記載の表示制御装置において、前記第一のタブが前記画面の他方の端部に位置しているときに前記選択手段により選択された場合には、前記表示制御手段は、前記第一のタブを前記画面の一方の端部に表示させると同時に前記表示幕を消去させることを特徴とする。
請求項７に係る発明は、請求項５又は請求項６に記載の表示制御装置において、前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、前記表示幕が表示されている位置に新たな表示幕を表示させることを特徴とする。
請求項８に係る発明は、請求項７に記載の表示制御装置において、前記表示制御手段は、既に表示されている表示幕を消去させた後に新たな表示幕を表示させることを特徴とする。
請求項９に係る発明は、モニタに対して画像信号を出力し前記モニタに画像を表示させる表示制御手段と、前記モニタに表示された画像の一部を選択するための選択手段とを有し、前記表示制御手段は、前記選択手段により選択可能な第一のタブを前記モニタの一方の端部に表示させ、前記第一のタブが前記選択手段により選択された場合には、表示幕を前記モニタに徐々に浮き上がらせるように表示させる表示制御装置であることを特徴とする。
請求項１０に係る発明は、請求項９に記載の表示制御装置において、前記第一のタブが前記画面の他方の端部に位置しているときに前記選択手段により選択された場合には、前記表制御手段は、前記表示幕を徐々に消えていくように消去させることを特徴とする。
請求項１１に係る発明は、請求項９または請求項１０に記載の表示制御装置において、前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、新たな表示幕を前記モニタに徐々に浮き上がらせるようにして表示させることを特徴とする。
請求項１２に係る発明は、請求項１１に記載の表示制御装置において、前記表示制御手段は、既に表示されている表示幕を前記モニタから徐々に消えていくように消去させた後に前記新たな表示幕を徐々に浮き上がらせるようにして表示させることを特徴とする。
請求項１３に係る発明は、請求項３、４、７、８、１１、１２のいずれか１項に記載の表示制御装置において、前記表示制御手段は、前記第一のタブが前記画面の他方の端部に位置して前記表示幕が表示されているときに、前記第二のタブを前記第一のタブと隣接するように表示させることを特徴とする。
請求項１４に係る発明は、請求項請求項３、４、７、８、１１、１２、１３のいずれか１項に記載の表示制御装置において、記録媒体に記録された情報を読み取る読取機構が複数設けられ、前記表示制御手段は、既に表示幕が表示されているときに前記選択手段により前記第二のタブが選択されるたびに、異なる読取機構の情報を表示した新たな表示幕を表示させることを特徴とする。
請求項１５に係る発明は、モニタに対して画像信号を出力して前記モニタの画面に画像を表示させる表示制御手段と、前記モニタに表示された画像の一部を選択するための選択手段とを有し、前記表示制御手段は、前記選択手段により選択可能な少なくとも１つのボタンを表示させ、該ボタンが前記選択手段により選択された場合に、表示幕を前記モニタの画面の一方の端部から他方の端部に向けて順次露出表示させる表示制御装置であることを特徴とする。
請求項１６に係る発明は、請求項１５に記載の表示制御装置において、前記表示制御手段は、前記画面の一方の端部に前記選択手段により選択可能な第一のタブを表示させ、前記選択手段により該ボタンが選択された場合に、前記第一のタブを前記画面の一方の端部から他方の端部に向けて移動させるとともに、前記表示幕を前記第一のタブに続けて順次露出表示させることを特徴とする。
請求項１７に係る発明は、請求項１５または請求項１６に記載の表示制御装置において、前記第一のタブが前記画面の他方の端部に表示されているときに前記選択手段により選択された場合には、前記表示制御手段は、前記第一のタブを前記画面の一方の端部に向けて移動させるとともに前記表示幕を順次退出消去させることを特徴とする。
請求項１８に係る発明は、請求項１５乃至請求項１７のいずれか１項に記載の表示制御装置において、前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、前記画面の一方の端部から他方の端部に向けて新たな表示幕を順次露出表示させることを特徴とする。
請求項１９に係る発明は、請求項１８に記載の表示制御装置において、前記表示制御手段は、既に表示されている表示幕を前記画面の一方の端部の側に退出消去させた後に前記新たな表示幕を露出表示させることを特徴とする。
請求項２０に係る発明は、モニタに対して画像信号を出力して前記モニタの画面に画像を表示させる表示制御手段と、前記モニタに表示された画像の一部を選択するための選択手段とを有し、前記表示制御手段は、前記選択手段により選択可能な少なくとも１つのボタンを表示させ、該ボタンが前記選択手段により選択された場合に、前記モニタの画面に表示幕を瞬時に表示させる表示制御装置であることを特徴とする。
請求項２１に係る発明は、請求項２０に記載の表示制御装置において、前記表示制御手段は、前記画面の一方の端部に前記選択手段により選択可能な第一のタブを表示させ、前記選択手段により前記ボタンが選択された場合に、前記第一のタブを前記画面の他方の端部に表示させると同時に前記表示幕を表示させることを特徴とする。
請求項２２に係る発明は、請求項２１に記載の表示制御装置において、前記第一のタブが前記画面の他方の端部に表示されているときに前記選択手段により選択された場合には、前記表示制御手段は、前記第一のタブを前記画面の一方の端部に表示させると同時に前記表示幕を消去させることを特徴とする。
請求項２３に係る発明は、請求項２１又は２２に記載の表示制御装置において、前記表示制御手段は、前記選択手段により選択可能な第二のタブを前記画面の他方の端部に表示させ、前記第一のタブが前記画面の他方の端部に位置して前記表示幕が表示されているときに前記第二のタブが前記選択手段により選択された場合には、前記画面に新たな表示幕を表示させることを特徴とする。
請求項２４に係る発明は、請求項２３に記載の表示制御装置において、前記表示制御手段は、既に表示されている表示幕を前記画面から消去させた後に前記新たな表示幕を表示させることを特徴とする。
請求項２５に係る発明は、モニタに対して画像信号を出力して前記モニタの画面に画像を表示させる表示制御手段と、前記モニタに表示された画像の一部を選択するための選択手段とを有し、前記表示制御手段は、前記選択手段により選択可能な少なくとも１つのボタンを表示させ、該ボタンが前記選択手段により選択された場合に、表示幕を前記画面に徐々に浮き上がらせるように表示させる表示制御装置であることを特徴とする。
請求項２６に係る発明は、請求項２５に記載の表示制御装置において、前記表示制御手段は、前記画面の端部に前記選択手段により選択可能な第一のタブを表示させ、前記表示幕が表示されたときに前記第一のタブが前記選択手段により選択された場合に、前記表示幕を画面から徐々に消えていくように消去させることを特徴とする。
請求項２７に係る発明は、請求項２５又は請求項２６に記載の表示制御装置において、前記表示制御手段は、前記選択手段により選択可能な第二のタブを前記画面の端部に表示させ、前記表示幕が表示されているときに前記第二のタブが前記選択手段により選択された場合には、前記画面に新たな表示幕を徐々に浮き上がらせるように表示させることを特徴とする。
請求項２８に係る発明は、請求項２７に記載の表示制御装置において、前記表示制御手段は、既に表示されている表示幕を前記画面から徐々に消えていくように消去させた後に前記新たな表示幕を徐々に浮き上がるように表示させることを特徴とする。
請求項２９に係る発明は、請求項１８、１９、２３、２４、２７、２８のいずれか１項に記載の表示制御装置において、前記表示制御手段は、前記第一のタブが前記画面の他方の端部に位置して前記表示幕が表示されているときに、前記第二のタブを前記第一のタブと隣接するように表示させることを特徴とする。
請求項３０に係る発明は、請求項１８、１９、２３、２４、２７、２８のいずれか１項に記載の表示制御装置において、記録媒体に記録された情報を読み取る読取機構が複数設けられ、前記表示制御手段は、既に表示幕が表示されているときに前記選択手段により前記第二のタブが選択されるたびに、異なる読取機構の情報を表示した新たな表示幕を表示させることを特徴とする。
請求項３１に係る発明は、請求項１５乃至請求項３０のいずれか１項に記載の表示制御装置において、前記表示制御手段は、縁部にベースリングが形成された略円形の情報表示部の周囲に前記ボタンを配置させて表示させることを特徴とする。
請求項３２に係る発明は、請求項１乃至請求項３１のいずれか１項に記載の表示制御装置において、前記表示幕には、複数の情報が所定の方向に沿って配列されていることを特徴とする。
請求項３３に係る発明は、請求項１乃至請求項３２のいずれか１項に記載の表示制御装置において、前記表示制御手段は、前記表示幕に表示された情報のうち前記選択手段により選択された部分をフォーカス表示させることをことを特徴とする。
請求項３４に係る発明は、請求項３３に記載の表示制御装置において、前記表示制御手段は、前記表示幕に表示された情報のうち前記選択手段により選択された部分を反転表示させてフォーカス表示させることを特徴とする。
請求項３５に係る発明は、請求項３３または請求項３４いずれか１項に記載の表示制御装置において、前記表示制御手段は、前記表示幕に表示された情報のうち前記選択手段により選択された部分を拡大表示させてフォーカス表示させることを特徴とする。
請求項３６に係る発明は、請求項３３乃至請求項３５いずれか１項に記載の表示制御装置において、前記表示制御手段は、前記表示幕に表示された情報のうち前記選択手段により選択された部分の表示色を変更させてフォーカス表示させることを特徴とする。
請求項３７に係る発明は、請求項１乃至請求項３６のいずれか１項に記載の表示制御装置において、前記表示幕には、前記表示幕に表示される情報に関する処理を行うための操作ボタンが設けられていることを特徴とする。
請求項３８に係る発明は、請求項１乃至請求項３７のいずれか１項に記載の表示制御装置において、前記表示幕には、前記モニタに表示された前記表示幕の表示範囲を変更させるスクロールダイヤルが設けられていることを特徴とする。
請求項３９に係る発明は、請求項１乃至請求項３８のいずれか１項に記載の表示制御装置において、前記選択手段は、選択された画面の一部を前記モニタの接触位置より判断するタッチパネルであることを特徴とする。
請求項４０に係る発明は、請求項１乃至請求項３８のいずれか１項に記載の表示制御装置において、前記選択手段は、前記モニタの画面において選択される画面の一部の変更を行うためのコントローラであることを特徴とする。
【発明の実施の形態】
本発明の実施の形態を図面に基づいて説明する。
図１は、本発明に係る表示制御装置としての車載型パーソナルコンピューターを示す。このコンピューター１は、２ＤＩＮのサイズを有して車両のダッシュボードに設置可能であり、その正面にはオープン／クローズキー２と、ディスプレイキー３と、チルトキー４と、スタンバイキー５と、操作ボタン６ａ〜６ｅと、コネクタ７と、カードスロット８と、ＵＳＢポート９と、ＣＤ、ＤＶＤ等のデジタルディスクが挿入されるディスク挿入口１０と、ディスクイジェクトボタン１１と、音量調整つまみ１２と、ミュートボタン１３とが設けられている。
オープン／クローズキー２が操作されると、本体部１４に収納されていたディスプレイ部１５が前方にスライドした後に起立して、図２に示すように液晶モニタ１６が現れる。モニタ１６の起立角度はチルトキー４により調整可能であり、モニタ１６の下方には操作ボタン１７ａ〜１７ｄが設けられている。また、この状態でオープン／クローズキー２が操作されると、ディスプレイ部１５が上記とは逆の過程を経て本体部１４に収納される。コンピュータ１には後述のように各種アプリケーションプログラムがインストールされ、モニタ１６には各種画像が表示されるが、ディスプレイキー３はＤＶＤビデオ再生用のアプリケーション及びＴＶ放送用のアプリケーションを使用しているときには画面のワイド／ノーマルを切り替えるために、他のアプリケーションを使用しているときにはモニタ１６の表示をスクリーンセーバーに切り替えるために用いられる（但し、カーナビゲーション用のアプリケーションを使用しているときには、オープン／クローズキー２の操作は無効である。）。
コンピューター１の操作には、図３に示す開閉可能な蓋体１８を有するリモコン１９も使用可能である。リモコン１９の正面には、上下左右に操作可能であるとともに押込み可能なコントローラー２０と、蓋体１８を閉めた状態でコントローラー２０の下方に位置するリストボタン２１と、リストボタン２１の左右に位置する左ボタン２２及び右ボタン２３とが設けられている。また、リモコン１９の左右側面にはオーディオ関連等の操作ボタン２４ａ〜２４ｅが設けられているとともに、スクロールダイヤル２５及びボリュームダイヤル２６が設けられ、蓋体１８の内部にはテンキーボタン２７が設けられている。ここでは、スクロールダイヤル２５及びボリュームダイヤル２６は上下方向に揺動するように構成されているが、これらは回転式に構成されていてもかまわない。
このコンピューター１の内部回路は、図４に示すように概略構成されている。操作ボタン６ａ〜６ｅ（同図においては「操作ボタン６」と記載）の操作情報は、そのボタン操作の状態を判定するキーマイコン５０を介してデータ変換部５１に入力される。操作ボタン１７ａ〜１７ｄ、チルトキー４、スタンバイキー５等の他のボタンの操作情報も、キーマイコンを介してデータ変換部５１に入力されるが、図４においてはその図示を省略している。
一方、モニタ１６には画面上の所定位置の押下げを検知するためのタッチキーセンサ５２が設けられ、その押下げの情報はキーマイコン５３を介してデータ変換部５１に入力される。タッチキーセンサ５２は、画面上における指の接触位置（タッチ位置）を検知することができるものであればどのような方式を用いたものでもよく、一般的に用いられる抵抗膜式タッチパネルでも、超音波式、光学式、静電容量式、電磁誘導式等のタッチパネルでもかまわない。このタッチキーセンサ５２により検知される画面がタッチされている時間（タッチ時間）は、タイマー５４により計時可能となっている。
また、データ変換部５１には、高度道路交通システム（ＩＴＳ：ＩｎｔｅｌｌｉｇｅｎｔＴｒａｎｓｐｏｒｔ　Ｓｙｓｔｅｍｓ）を実現するために必要な情報、例えばＥＴＣ（Ｅｌｅｃｔｒｏｎｉｃ　Ｔｏｌｌ　Ｃｏｌｌｅｃｔｉｏｎ　Ｓｙｓｔｅｍ）信号や、ナビゲーション機能の実現に必要なＧＰＳ信号、車速パルス、そしてＶＩＣＳ用のＦＭ多重信号等が入力され、これらの入力信号についてローカルバス５５に転送するための必要なデータ変換が行われる。データ変換部５１にはデータ通信用のコネクタ７がモデム５６を介して接続され、コネクタ７に携帯電話やＰＨＳが接続されてデータ通信が行われる場合には、データ変換部５１は送受信データのデータ変換処理を実行する。
カードスロット８はＰＣＭＣＩＡバス変換部５７に接続され、ＰＣＭＣＩＡバス変換部５７はカードスロット８に挿入されたＰＣカード等の記録媒体に記録されたデータをローカルバス５５に転送するためのデータ変換を行う。このカードスロット８は、これに通信カードを挿入するように構成されていてもよい。
ＵＳＢポート９はＵＳＢバス変換部５８に接続され、ＵＳＢバス変換部５８はＵＳＢポート９より転送されるデータをローカルバス５５に転送するためのデータ変換を行う。
ディスク挿入口１０に挿入されたデジタルディスクは、ディスクドライブ５９及びＲＯＭデコーダ６０により構成されるディスクメカモジュール６１のそのディスクドライブ５９にてデータが読み取られ、読み取られたデータがＲＯＭデコーダ６０にてデコードされる。ＲＯＭデコーダ６０にはＡＴＡＰＩ／ローカルバス変換部６２が接続され、ＡＴＡＰＩ／ローカルバス変換部６２はローカルバス５５及びスイッチ部６３に接続されている。このＡＴＡＰＩ／ローカルバス変換部６２は、ＲＯＭデコーダ６０より出力されるＡＴＡＰＩの出力をローカルバス形式に変換する。
この回路を統合制御するＣＰＵ６４は、フラッシュメモリ６５に記憶されたＯＳ（例えばマイクロソフト社のＷｉｎｄｏｗｓ　ＣＥ（登録商標））及びカーナビゲーション用、ＤＶＤビデオ再生用、音楽再生用、電子メール用等の各種アプリケーションを実行する。フラッシュメモリ６５に対する各種アプリケーションプログラムの記憶は、例えばディスクメカモジュール６１にプログラムが記録されたディスクをセットすることにより行われ、そのフラッシュメモリ６５とは別途に本回路にはワークメモリとしてＲＡＭ６６が設けられている。また、フラッシュメモリ６５にブートローダーのみを記憶させ、ＯＳやアプリケーションをＲＡＭ６６に記憶させる構成としてもよい。なお、フラッシュメモリ６５やＲＡＭ６６の代わりにハードディスクドライブ等を用いてもよい。
ＣＰＵ６４が上記カーナビゲーション用のアプリケーションを実行するときには、ディスクメカモジュール６１に装填されたＤＶＤＲＯＭディスクより地図データが読み取られ、ＣＰＵ６４により自車位置や走行経路の演算等が行われ、これらのデータがＡＴＡＰＩ／ローカルバス変換部６２を経て又は直接的にローカルバス５５に送出されてこれに接続されたグラフィックチップ６７に転送される。グラフィックチップ６７は、送られてきたデータを画像処理用のＲＡＭ６８とともに地図描画用に処理してモニタ１６にＲＧＢ信号として出力し、これによりモニタ１６には地図、自車位置、走行経路等が表示される。
ＣＰＵ６４がＤＶＤビデオ再生用のアプリケーションを実行するときには、ディスクドライブ５９において読み取られたＤＶＤビデオディスクのデータ信号がＲＯＭデコーダ６０を経て出力され、そのうちの映像信号はＭＰＥＧデコーダ６９、ビデオエンコーダ７０、スイッチ部７１を介してモニタ１６に動画像として出力される。一方、音声信号は、ＡＴＡＰＩ／ローカルバス変換部６２、ローカルバス５５、オーディオＤＳＰ７２、Ｄ／Ａ変換部７３、スイッチ部６３，７４及びアンプ７５を介してスピーカー７６より出力される。なお、スイッチ部７１にはＴＶチューナー７７及びアンテナ７８が接続され、モニタ１６にＴＶ放送を映し出すときにモニタ１６のコンポジット側の入力がスイッチ部７１によりビデオエンコーダ７０からＴＶチューナー７７に切り替えられる。また、スイッチ部７４にはＡＭ／ＦＭチューナー７９及びＴＶチューナー８０が接続され、スピーカー７６にラジオ放送を流すときにはアンプ７５の入力がスイッチ部７４によりスイッチ部６３からＡＭ／ＦＭチューナー７９に切り替えられ、スピーカー７６にＴＶ放送の音声を流すときにはアンプ７５の入力がスイッチ部７４によりＴＶチューナー７７に切り替えられる。なお、スピーカー７６やアンプ７５はコンピューター１の外部に設けてもよい。
ＣＰＵ６４が音楽再生用のアプリケーション（ここでは、マイクロソフト社のＷｉｎｄｏｗｓ　Ｍｅｄｉａ　Ｐｌａｙｅｒ）を実行するときには、例えばＤＶＤディスク若しくはＣＤディスクに記録されたオーディオ圧縮ファイル（ＭＰ３等）又はＤＶＤディスクに記録された音楽データが、ＡＴＡＰＩ／ローカルバス変換部６２及びローカルバス５５を経てオーディオＤＳＰ７２に送られる。オーディオＤＳＰ７２ではデータの伸張等の適宜の処理が行われ、このデータがさらにＤ／Ａ変換部７３、スイッチ部６３，７４及びアンプ７５を経てスピーカー７６により出力される。また、ＣＤディスクに記録された音楽データが再生されるときには、スイッチ部６３がＤ／Ａ変換部７３からＡＴＡＰＩ／ローカルバス変換部６２に切り替えられ、ＡＴＡＰＩ／ローカルバス変換部６２の出力がスイッチ部６３，７４及びアンプ７５を経てスピーカー７６により出力される。
つぎに、このコンピューター１のモニタ１６の表示について説明する。以下で説明する各表示は、主にＣＰＵ６４、フラッシュメモリ６５、ＲＡＭ６６、グラフィックチップ６７及びＲＡＭ６８により制御されている。
また、以下では画面の一部（アイコン等を含む。）をクリックすることが可能な場合があるが、この「クリックする」とはユーザーがリモコン１９のコントローラー２０を上下左右に操作して画面上のカーソルを当該画面の一部に移動させ、その後にコントローラー２０を押し込むこと、又は、ユーザーが当該画面の一部を指で直接タッチすることをいう（但し、特に後者の意味を排除するときには、単に「クリックする」というのではなく「コントローラー２０によりクリックする」と表現する。）。ここで、「カーソル」とは当該画面の一部の色が変化したり、また当該画面の一部の文字や記号が反転表示されたり拡大表示されたりすることにより認識することが可能なもので、このカーソルが位置する当該画面の一部を「フォーカスされている」と表現したり、当該画面の一部にカーソルを移動させることを「フォーカスさせる」と表現したりする。
オープン／クローズキー２を操作してディスプレイ部１５を使用状態とし、コンピューター１を起動させると、ディスプレイ部１５のモニタ１６にはまず図５に示す時計画面１００が現れて現在時刻及び年月日が表示される。この状態でスタンバイキー５が押されると、モニタ１６には図６に示すスタートメニュー画面１０１が表示され、以降、そのスタンバイキー５の操作ごとに時計画面１００の表示とスタートメニュー画面１０１の表示とが繰り返される。
スタートメニュー画面１０１はコンピューター１が有している機能を選択するための画面であり、このスタートメニュー画面１０１には各機能に対応したアプリケーションを起動するためのアイコン１０２ａ〜１０２ｌと、画面左端に位置するスクロールダイヤル１０３と、スクロールダイヤル１０３の右側に位置するポジションバー１０４とが設けられている。
スクロールダイヤル１０３は円盤状又は円環状を呈し、その左側の一部のみが表示されて他の部分が画面１０１の地の領域１０５により隠されている。モニタ１６上でこのスクロールダイヤル１０３の上部又は下部を指でタッチするか、スクロールダイヤル１０３をあたかも回転させるかのように上方又は下方に指で擦ると、スクロールダイヤル１０３は画面上で上方（矢印Ａ方向）又は下方（矢印Ａ’方向）に回転表示され、これに伴いスタートメニュー画面１０１の内容が上下にスクロールする。すなわち、例えば図６（ａ）に示す状態でスクロールダイヤル１０３を下方に回転させ、スタートメニュー画面１０１を下方にスクロールさせると、スクロール可能な範囲における現在のスクロール位置を示すポジションバー１０４のインジケータ１０６が同図（ｂ）に示すように下降し、画面上部に表示されていたアイコン１０２ａ〜１０２ｃが消失して新たなアイコン１０２ｊ〜１０２ｌが画面下部に表示される。このような処理は、スクロールダイヤル１０３の上部又は下部がコントローラー２０によりクリックされても同様に行われ、リモコン１９のスクロールダイヤル２５が操作されても同様に行われる。
スタートメニュー画面１０１においてアイコン１０２ａがクリックされると、モニタ１６には図７に示すラジオ画面１５０が表示される。このラジオ画面１５０には、画面中央よりもやや左側に配置された円環状のベースリング１５１と、ベースリング１５１に沿ってその周囲に設けられたサテライトボタン１５２ａ〜１５２ｉとが表示されている。ラジオ画面１５０が表示されるとスピーカー７６からはラジオ放送が流れ、画面右側のスペースには受信放送局と受信周波数とが表示される。
ベースリング１５１の内部には、受信している放送局についての静止画や動画、又は音声に対応して変化する映像等が表示される情報表示部１５３が設けられ、図７においては情報表示部１５３には受信放送局のマスコットキャラクターが表示されている。情報表示部１５３はモニタ１６の長手方向（横方向）に延びる楕円形状あるいは矩形状であってもよく、このときベースリング１５１はその情報表示部１５３の外形に沿うように形成されればよい。ベースリングの形状が円環状に限られないのは、後述の各画面においても同様である。
サテライトボタン１５２ａ〜１５２ｉは、ラジオ画面１５０において可能な操作をアイコンにより示し、機能ごとに左右に分けて配置されている。右側のサテライトボタン群には、チューニングに関するボタンが集められ、オートストアあるいはプリセットスキャンを行うサテライトボタン１５２ａ（ＡＳ／ＰＳボタン）と、チューニングモードを切り換えるサテライトボタン１５２ｂ（Ｔ．ＭＯＤＥボタン）と、チャンネルの切替えを行うサテライトボタン１５２ｃ，１５２ｄ（チャンネル切替ボタン）とが設けられている。一方、左側のサテライトボタン群には、他の機能に関するボタンが集められ、ＦＭ／ＡＭのバンドを切り替えるサテライトボタン１５２ｅ（バンド切替ボタン）と、受信周波数を道路交通情報に合わせるサテライトボタン１５２ｆ（ＩＳＲボタン）と、ＦＭ文字多重放送を表示させるサテライトボタン１５２ｇ（文字ボタン）と、ラジオ放送局のホームページアドレス一覧を表示させるサテライトボタン１５２ｈ（放送局ＨＰボタン）と、情報表示部１５３に表示される画像を切り替えるサテライトボタン１５２ｉ（画像切替ボタン）とが設けられている。
ラジオ画面１５０の起動時（描画時）において、サテライトボタン１５２ａ〜１５２ｉは、ベースリング１５１が表示された後にサテライトボタン１５２ａから順に時計回りに表示され（図８）、サテライトボタンによってはそれを説明するための文字列（例えばサテライトボタン１５２ａに対する「ＡＳ／ＰＳ」）が隣接して併記される。この文字列は、対応するサテライトボタンが表示される際に同時に（又は対応するサテライトボタンが表示された直後に）表示されるか、あるいは、サテライトボタン１０２ａ〜１０２ｉがすべて表示された後に時計回りに順に表示されてもよく、このようなベースリング、サテライトボタン及び文字列の表示方法は後述の各画面の起動時においても同様である。
サテライトボタン１５２ａ〜１５２ｉは、コントローラー２０によりカーソルを移動させてフォーカスさせることができ、各サテライトボタンはフォーカスされることにより反転表示されるとともに拡大して表示される。サテライトボタン間及びサテライトボタン群間におけるカーソルの移動は、コントローラー２０の上下操作及び左右操作により行われ、例えばサテライトボタン１５２ｂがフォーカスされているときにコントローラー２０が上方に操作されるとサテライトボタン１５２ａがフォーカスされ、下方に操作されるとサテライトボタン１５２ｃがフォーカスされ、左方に操作されると左側のサテライトボタン群にカーソルが移動する。このようにサテライトボタン群間でカーソルが移動したとき、カーソル移動先のサテライトボタン群では画面最上方にあるサテライトボタン（上記左側のサテライトボタン群ではサテライトボタン１５２ｉ）が最初にフォーカスされるが、先にそのサテライトボタン群からもう一方のサテライトボタン群にカーソルが移動した経緯があり、再度そのサテライトボタン群にカーソルが戻ってきたような場合には、先の移動直前にフォーカスされていたサテライトボタンをＲＡＭ６６等に記憶させて、そのサテライトボタンにカーソルが戻ってくるようにしてもよい。すなわち、例えばカーソルが右側のサテライトボタン群に移動する直前にはサテライトボタン１５２ｆにあって、これがコントローラ２０の右方への操作により右側のサテライトボタン群に移動し、再度左側のサテライトボタン群に戻ってくるときにまずサテライトボタン１５２ｆがフォーカスされてもよい。なお、サテライトボタンにあるカーソルは、リモコン１９の左ボタン２２及び右ボタン２３によっても後述のリストチェンジボタンによっても移動させることができるが、このときカーソルはサテライトボタン群の別なくベースリングの周りを時計回り又は反時計回りに移動する。
ラジオ画面１５０の下部には、第一のタブとしてのリストボタン１５４が表示されている。このリストボタン１５４が指でタッチされるか、リモコン１９のリストボタン２１が押されると、図９に示すようにリストボタン１５４が画面上部に向けて移動するとともに、このリストボタン１５４に続く表示幕１５５が引き上げられるように順次露出表示され、最終的には図１０に示すように表示幕１５５が完全に表示される。このように表示幕１５５が完全に表示された状態でリストボタン１５４が指でタッチされるか、リストボタン２１が押されると、表示幕１５５が引き下ろされるようにして画面下部に退出消去され、モニタ１６には図７に示した画面が再度表示される。
ラジオ画面１５０の上部には、第二のタブとしてのリストチェンジボタン１５６が表示されている。図７においてはそのリストチェンジボタン１５６に「放送局リスト」と表示されているが、「放送局リスト」と表示された状態でリストボタン１５４が指でタッチされるかリストボタン２１が押されることにより、表示幕１５５には放送局のリスト１５７が表示される。このリスト１５７では、フラッシュメモリ６５等に記憶された放送局名及び周波数が組になって縦方向に並んで表示され、図１０においてはリスト１５７を構成する最上段のリスト項目ボタン１５７ａがフォーカスされている。表示幕１５５の左端にはスクロールダイヤル１５８が、その右側にはポジションバー１５９が表示されるが、これらの機能は上記図６のスタートメニュー画面１０１におけるスクロールダイヤル１０３及びポジションバー１０４と同様であるので説明を省略する。
表示幕１５５が表示されている状態でリストチェンジボタン１５６が指でタッチされるか、リモコン１９の左ボタン２２又は右ボタン２３が押されると、リストチェンジボタン１５６の表示が「放送局リスト」から「プリセットリスト」へと変わり、リストボタン１５４が画面下部に向けて移動するとともに表示幕１５５が引き下ろされるように順次退出消去される。そして、リストボタン１５４が画面下部に達すると、今度はリストボタン１５４が再度画面上部に向けて移動するとともに、図１１に示す新たな表示幕１６０が引き上げられるように順次露出表示される。表示幕１６０には、プリセットチャンネルに対応する放送局を示すリスト１６１が表示され、そのプリセットチャンネルへの放送局及び周波数の割当てはユーザーが任意に行うことが可能でフラッシュメモリ６５等に記憶されている。また、表示幕１６０には、スクロールダイヤル１５８及びポジションバー１５９と同様なスクロールダイヤル１６２及びポジションバー１６３が表示されている。
なお、図７に示す状態でリストチェンジボタン１５６が指でタッチされるか、左ボタン２２又は右ボタン２３が押されると、リストチェンジボタン１５６における表示が「放送局リスト」から「プリセットリスト」に変更される。この状態でリストボタン１５４が指でタッチされるか、リストボタン２１が押されることにより、表示幕１５５を経ることなく直接図１１の画面（表示幕１６０）に至ることができる。また、ここではリストチェンジボタンは画面上部右側のみならず画面上部左側にも用意されており、そのリストチェンジボタン１６４を操作してもリストチェンジボタン１５６を操作したと同様な結果が得られる。
ところで、ディスプレイ部１５の操作ボタン１７ｃ（戻るボタン）が操作されるとモニタ１６の表示が前画面に戻り、操作ボタン１７ａ（スタートボタン）が操作されるとスタートメニュー画面１０１に戻るが、このようにスタートメニュー画面１０１に戻った状態でアイコン１０２ｂがクリックされると、モニタ１６には図１２に示すメディアプレーヤー画面２００が表示される。
メディアプレーヤー画面２００は、上記Ｗｉｎｄｏｗｓ　Ｍｅｄｉａ　Ｐｌａｙｅｒによる音楽再生用の画面であり、このメディアプレーヤー画面２００には、画面中央よりもやや左側に配置されたベースリング２０１と、ベースリング２０１に沿ってその周囲に設けられたサテライトボタン２０２ａ〜２０２ｇとが表示されている。メディアプレーヤー画面２００の画面右側のスペースには、現在再生している（又は再生しようとしている）曲目等が表示され、画面右下にはプレイタイム（再生経過時間）が表示される。
ベースリング２０１の内部の情報表示部２０３には、その再生している（又は再生しようとしている）曲についてのアルバムジャケットやプロモーション映像等のイメージが表示される。サテライトボタン２０２ａ〜２０２ｇは左右のサテライトボタン群に分けて配置され、右側のサテライトボタン群には基本的操作及び画像効果に関するボタンが、左側のサテライトボタン群には特殊再生に関するボタンが集められている。具体的には、右側のサテライトボタン群には、情報表示部２０３に表示される画像を切り替えるサテライトボタン２０２ａ（画像切替ボタン）と、再生／一時停止用のサテライトボタン２０２ｂと、頭出し（早送り）用のサテライトボタン２０２ｃと、頭出し（巻戻し）用のサテライトボタン２０２ｄとが設けられている。一方、左側のサテライトボタン群には、ランダム再生用のサテライトボタン２０２ｅと、リピート再生用のサテライトボタン２０２ｆと、スキャン再生用のサテライトボタン２０２ｇとが設けられている。
メディアプレーヤー画面２００の下部には、リストボタン２０４が表示されている。このリストボタン２０４が指でタッチされるか、リストボタン２１が押されると、リストボタン２０４が画面上部に向けて移動するとともに、リストボタン２０４に続く表示幕２０５が引き上げられるように順次露出表示される（図１３、図１４）。メディアプレーヤー画面２００の上部左右にはリストチェンジボタン２０６，２０７が表示され、このリストチェンジボタン２０６，２０７が指でタッチされるか左ボタン２２又は右ボタン２３が押されると、リストチェンジボタン２０６における表示が「ＭＡＩＮ　ＳＬＯＴ」から「ＣＡＲＤ　ＳＬＯＴ」に変更される。例えば図１２に示す状態でリストチェンジボタン２０６における表示が「ＣＡＲＤ　ＳＬＯＴ」に変更されると、モニタ１６には図１５に示す画面が表示され、図１４に示す状態でリストチェンジボタン２０６における表示が「ＣＡＲＤ　ＳＬＯＴ」に変更されると、モニタ１６には表示幕２０５が退出消去された後に新たな表示幕２０８が露出表示された図１６に示す画面が表示される。
なお、リストチェンジボタン２０６における「ＭＡＩＮ　ＳＬＯＴ」、「ＣＡＲＤ　ＳＬＯＴ」の表示は、ディスク挿入口１０に挿入されたディスクとカードスロット８に挿入されたＰＣカードのいずれの記録媒体についての情報かを区別している。なお、「ＭＡＩＮ　ＳＬＯＴ」、「ＣＡＲＤ　ＳＬＯＴ」以外にもＲＡＭ６６に蓄積された音楽データ、又はＵＳＢポート９を介して接続されたＣＤチェンジャー等の音楽ディスクをリストチェンジボタン２０６，２０７により選択可能としてもよい。
また、表示幕２０５には、ディスクに記録されたアルバムのタイトルを示すリスト２０９と、リスト２０９を構成するリスト項目ボタンのうちフォーカスされているもの（図１４においてはリスト項目ボタン２０９ａ）に割り付けられたイメージを表示する窓部２１０と、スクロールダイヤル２１１と、ポジションバー２１２とが表示されている。他方、表示幕２０８には、ＰＣカードに記録されたアルバムのタイトルを示すリスト２１３と、リスト２１３を構成するリスト項目ボタンのうちフォーカスされているもの（図１６においてはリスト項目ボタン２１３ａ）に割り付けられたイメージを表示する窓部２１４と、スクロールダイヤル２１５と、ポジションバー２１６とが表示されている。
図１５の画面が表示されている状態において、操作ボタン１７ｂ（メニューボタン）が操作されると、モニタ１６には図１７に示すプルダウンメニュー２１７が表示され、このプルダウンメニュー２１７の「タイトル」から階層的に表示されるプルダウンメニュー２１８において「ライブラリの編集」がクリックされると、モニタ１６には図１８に示すウインドウ２２０が図１５の画面に重ねて表示される。
ウインドウ２２０には、タイトルの編集対象となるアルバムがリスト２２１により一覧表示され、リスト２２１を構成するリスト項目ボタンのうちフォーカスされているものに割り付けられたイメージを表示する窓部２２２と、スクロールダイヤル２２３と、ポジションバー２２４と、ＯＫボタン２２５と、キャンセルボタン２２６とが表示される。このウインドウ２２０において、例えばリスト項目ボタン２２１ｃが指でタッチされて所定時間以上経過すると、図１９に示すポップアップメニュー２２７が表示される。
ポップアップメニュー２２７において「タイトルの変更」が選択されると、モニタ１６には図２０に示すようにウインドウ２２０に代わってウインドウ２３０が表示される。ウインドウ２３０には、タイトル入力欄２３１と、フリガナ入力欄２３２と、スクロールダイヤル２３３と、ポジションバー２３４と、ＯＫボタン２３５と、キャンセルボタン２３６とが表示され、そのタイトル入力欄２３１又はフリガナ入力欄２３２がクリックされると、モニタ１６には図２１に示すキーボード画面２４０が表示される。このキーボード画面２４０においてキーをクリックして文字入力することにより、ユーザーがアルバムのタイトルを入力・編集することが可能となっている。
ポップアップメニュー２２７において「イメージの割付け」が選択されると、モニタ１６には図２２に示すウインドウ２５０が表示される。ウインドウ２５０には、予めフラッシュメモリ６５等に記憶されたイメージ２５１ａ，２５１ｂ，…と、スクロールダイヤル２５２と、ポジションバー２５３とが表示されている。イメージ２５１ａ，２５１ｂ，…の中からいずれかのイメージがクリックされると、そのイメージが選択されたアルバムに割り付けられ、情報表示部２０３や窓部２２２等に表示される。
ポップアップメニュー２２７において「アイコンの割付け」が選択されると、モニタ１６には図２３に示すウインドウ２６０が表示される。ウインドウ２６０には、ジャンルアイコン２６１ａ，２６１ｂ，…と、スクロールダイヤル２６２と、ポジションバー２６３と、ＯＫボタン２６４と、キャンセルボタン２６５とが表示されている。ジャンルアイコン２６１ａ，２６１ｂ，…の中から一又は複数のアイコンがクリックされてＯＫボタン２６４が押されると（各ジャンルアイコンに対して左側に設けられた四角形の表示は、そのジャンルアイコンがクリックにより選択されたか否かを示す。）、そのアイコンが選択されたアルバムに割り付けられ、リスト２１３におけるリスト項目ボタン等に表示される。
ポップアップメニュー２２７において「削除」が選択されると、モニタ１６には図２４に示すウインドウ２７０がウインドウ２２０に重ねて表示される。ウインドウ２７０には、選択されているアルバムのタイトル情報の消去の可否を尋ねる旨と、ＯＫボタン２７１と、キャンセルボタン２７２とが表示され、ＯＫボタン２７１がクリックされると当該タイトル情報が削除される。
一方、ウインドウ２２０においてリスト項目ボタン２２１ｃが上記所定時間未満の範囲で指でタッチされるか、コントローラー２０によりクリックされると、モニタ１６には図２５に示すウインドウ２８０が表示される。ウインドウ２８０には、選択されたアルバムに含まれる具体的な曲名がリスト２８１により一覧表示され、リスト２８１を構成するリスト項目ボタンのうちフォーカスされているものに割り付けられたイメージを表示する窓部２８２と、スクロールダイヤル２８３と、ポジションバー２８４と、ＯＫボタン２８５と、キャンセルボタン２８６とが表示される。このウインドウ２８０において、例えばリスト項目ボタン２８１ｂが上記所定時間未満の範囲で指でタッチされるか、コントローラー２０によりクリックされると、モニタ１６には図１５の画面が表示されて選択された曲が再生される。また、リスト項目ボタン２８１ｂが指でタッチされて所定時間以上経過すると、図２６に示すポップアップメニュー２８７が表示されるが、ポップアップメニュー２８７の詳細については上記ポップアップメニュー２２７と略同様であるので説明を省略する。
ここで、上記のように指がタッチしている時間に応じて表示が変化する場合には、ＣＰＵ６４は図２７に示す処理を行っている。すなわち、まずタッチキーセンサ５２により画面に指がタッチしたか否かを判断し（ステップ１（同図においてＳ．１と記載。以下同様））、タッチしたと判断したならばタイマー５４により計時を開始する（ステップ２）。続いて、画面から指が離れたか否かをタッチキーセンサ５２により判断し（ステップ３）、離れていないと判断したならば上記所定時間（例えば１秒程度）が経過したか否かをタイマー５４により判断し（ステップ４）、所定時間を経過していればモニタ１６にポップアップメニューを表示する（ステップ５）。一方、所定時間が経過していなければ再度ステップ３に戻って画面から指が離れたか否かを判断し、所定時間経過前に画面から指が離れたならば、画面のその部分がクリックされたときに行う本来の処理を実行する（ステップ６）。
また、タッチによる誤作動を防止するために、ＣＰＵ６４は図２８に示す処理を行ってもよく、この処理においては図２７におけるステップ１、ステップ２を経た後に、上記所定時間よりも短い所定時間（タッチが意図したものであるか否かを判定するための０．１秒程度の時間であり、タッチがこの時間よりも短ければＣＰＵ６４はそのタッチが意図したものではないと判定する。以下、この時間を記述の「所定時間」と区別するために「判定時間」という。）が経過したか否かをタイマー５４により判断し（ステップ７）、経過していなければ画面から指が離れたか否かをタッチキーセンサ５２により判断する（ステップ８）。この段階で指が離れていたならばタッチは誤操作であるとして処理を終了し（ステップ９）、タッチが継続していれば再度ステップ７に戻って判定時間が経過したか否かを判断する。ステップ７において判定時間が経過したと判断したならば、ＣＰＵ６４は画面から指が離れたか否かをタッチキーセンサ５２により判断し（ステップ１０）、離れていないと判断したならばステップ４と同一の処理である所定時間経過の判断を実行する（ステップ１１）。ステップ１１において所定時間が経過していればモニタ１６にポップアップメニューを表示し（ステップ１２）、所定時間が経過していなければ再度ステップ１０に戻って画面から指が離れたか否かを判断し、所定時間経過前に画面から指が離れたならば、画面のその部分がクリックされたときに行う本来の処理を実行する（ステップ１３）。
なお、図２９に示すように上記プルダウンメニュー２１７において「ジャンル絞込み」がクリックされた場合について付言すると、このときモニタ１６には図３０に示すようにウインドウ２９０が表示され、このウインドウ２９０には、ジャンルアイコン２９１ａ，２９１ｂ，…と、スクロールダイヤル２９２と、ポジションバー２９３と、ＯＫボタン２９４と、キャンセルボタン２９５とが表示されている。ジャンルアイコン２９１ａ，２９１ｂ，…の中から一又は複数のアイコンがクリックされてＯＫボタン２９４が押されると（各ジャンルアイコンに対して左側に設けられた四角形の表示は、そのジャンルアイコンがクリックにより選択されたか否かを示す。）、そのジャンルアイコンが割り付けられたアルバム又は曲目が検索され、検索されたアルバム又は曲目が図１４（又は図１６）におけると同様にモニタ１６に表示される（図３１）。この絞込みを行ったときにはプルダウンメニュー２１７の内容は図３２に示すようになっているので、ここで「絞込み解除」がクリックされることにより絞込みが解除される。
スタートメニュー画面１０１においてアイコン１０２ｅが選択されると、モニタ１６には図３３に示すコントロールパネル画面３００が表示される。このコントロールパネル画面３００には、画面中央よりやや左側に配置されたベースリング３０１と、ベースリング３０１に沿ってその周囲に設けられたサテライトボタン３０２ａ〜３０２ｇとが表示され、ベースリング３０１の内部は情報表示部３０３となっている。
サテライトボタン３０２ａ〜３０２ｇは、コントロールパネル画面３００において設定可能な項目の見出しを示し、ベースリング３０１の周上に左右に分けて配置されている。右側のサテライトボタン群には、オーディオの設定に関するサテライトボタン３０２ａと、時刻／日付の設定に関するサテライトボタン３０２ｂと、ダイヤルアップ接続の設定に関するサテライトボタン３０２ｃと、ショートカットキーの割付けに関するサテライトボタン３０２ｄとが設けられている。一方、左側のサテライトボタン群には、ファイル操作の設定に関するサテライトボタン３０２ｅと、音／音声の設定に関するサテライトボタン３０２ｆと、「次へ」と付されたサテライトボタン３０２ｇとが設けられている。コントロールパネル画面３００では、必要な設定項目の見出しの数（サテライトボタンの数）は１２であるが（下記表１参照）、モニタ１６の大きさとの関係上、一つの画面に１２個のサテライトボタンを表示することは難しい。したがって、コントロールパネル画面３００には図３３に示す第一の画面と、図３４に示す第二の画面とが用意され、１２個のサテライトボタンは第一の画面と第二の画面とに分けて表示される。サテライトボタン３０２ｇは、その第一の画面から第二の画面に切り替える際に用いられる。
サテライトボタン３０２ｇがクリックされると、サテライトボタン３０２ａ〜３０２ｇ及び対応する文字列がサテライトボタン３０２ａから時計回りに順に消去され（図３５）、サテライトボタンが一旦完全に消去された後に（図３６）、新たなサテライトボタン３０２ｈ〜３０２ｎ及び対応する文字列がサテライトボタン３０２ｈから時計回りに順に表示され（図３７）、図３４に示す第二の画面が表示される。但し、このサテライトボタンの書替えの態様はこれに限られるものではなく、ラジオ画面１５０を例に説明したアプリケーションの起動時と同様に、サテライトボタンと対応する文字列とが必ずしも同時に消去又は表示されなくてもよい。つまり、例えばサテライトボタン３０２ａ〜３０２ｇをすべて消去させた後に「オーディオ」等の対応する文字列を消去させても、あるいは、サテライトボタン３０２ｈ〜３０２ｎをすべて表示させた後に「画面」等の対応する文字列を表示させてもかまわない。
サテライトボタン３０２ｈ〜３０２ｎは、ベースリング３０１の周上にサテライトボタン３０２ａ〜３０２ｇと同配置となるように左右に分けて配置されている。右側のサテライトボタン群には、画面の設定に関するサテライトボタン３０２ｈと、コンピューターレスポンスの設定に関するサテライトボタン３０２ｉと、スピーチコマンドの設定に関するサテライトボタン３０２ｊと、バックアップリストアの設定に関するサテライトボタン３０２ｋとが設けられている。一方、左側のサテライトボタン群には、システムの設定に関するサテライトボタン３０２ｌと、セキュリティの設定に関するサテライトボタン３０２ｍと、「前へ」と付されたサテライトボタン３０２ｎとが設けられている。サテライトボタン３０２ｎはコントロールパネル画面３００を第二の画面から第一の画面に切り替える際に用いられ、この切替時のサテライトボタン３０２ｈ〜３０２ｎの消去及びサテライトボタン３０２ａ〜３０２ｇの表示は第一の画面から第二の画面に切り替える際と同様である。なお、このような第一の画面と第二の画面との切替に用いられるボタンは、必ずしもサテライトボタンとして設けられていなくてもよく、別途専用のボタンとして用意されてもよい。
また、コントロールパネル画面３００の下部にはリストボタン３０４が表示され、上部左右にはリストチェンジボタン３０５，３０６が表示され、リストチェンジボタン３０５にはサテライトボタン３０２ａ〜３０２ｎに付された文字列と同じものが表示される。リストチェンジボタン３０５又はリモコン１９がクリックされると、カーソルの位置するサテライトボタンが時計回りに変化し、これに応じてリストチェンジボタン３０５における表示も変化する。リストチェンジボタン３０６又はリモコン１９がクリックされると、カーソルの位置するサテライトボタンが反時計回りに変化し、これに応じてリストチェンジボタン３０５における表示もやはり変化する。あるサテライトボタン（サテライトボタン３０２ｇ，３０２ｎを除く。）にカーソルが位置している状態でリストボタン３０４がクリックされると、あるいはその状態で決定が押されると、あるいはそのサテライトボタンが指でタッチされると、表示幕が表示される。例えばサテライトボタン３０２ａにカーソルが位置する状態でリストボタン３０４がクリックされるか若しくは決定ボタンが押されるか、又はサテライトボタン３０２ａが指でタッチされると、図３８に示すように表示幕３１０が露出表示される。
表示幕３１０には、オーディオの設定に関する項目が縦方向に並んでリスト表示されている。表示幕３１０の左側にはスクロールダイヤル３１３及びポジションバー３１４が設けられ、表示幕３１０の右側にはカーソルが位置するリスト項目ボタン３１１についての設定内容を表示する窓部３１２が設けられている。図３８においては、バス／トレブルについてのリスト項目ボタン３１１ａがカーソルにより選択されているので、窓部３１２にはバス／トレブルの現在の設定内容が表示されている。
そのリスト項目ボタン３１１ａがクリックされると、図３９に示すウインドウ３２０が表示幕３１０に重ねて表示される。ウインドウ３２０にはバスの設定値を小さくするための調整ボタン３２１と、バスの設定値を大きくするための調整ボタン３２２と、トレブルの設定値を小さくするための調整ボタン３２３と、トレブルの設定値を大きくするための調整ボタン３２４とが表示されている。また、ウインドウ３２０にはＯＫボタン３２６と、キャンセルボタン３２７と、ポジションバー３２５とが表示されるとともに、凹部３２８が設けられている。調整ボタン３２１〜３２４によってバス、トレブルを調整してＯＫボタン３２６を押すと、バス、トレブルの設定値が変更され、その画面でバス、トレブルの値を変更してもキャンセルボタン３２７を押すと、バス、トレブルの設定値が変更されない。
一方、図４０に示すようにフェダー／バランスについてのリスト項目ボタン３１１ｂがカーソルにより選択された状態では、窓部３１２にはフェダー／バランスの現在の設定内容が表示され、そのリスト項目ボタン３１１ｂをクリックすると、図４１に示すようにウインドウ３３０が表示幕３１０に重ねて表示される。ウインドウ３３０にはフェダーを車室内前方に移動させるための調整ボタン３３１と、フェダーを車室内後方に移動させるための調整ボタン３３２と、バランスを車室内左方に移動させるための調整ボタン３３３と、バランスを車室内右方に移動させるための調整ボタン３３４とが表示されている。また、ウインドウにはＯＫボタン３３６と、キャンセルボタン３３７と、コントロールバー３３５とが表示されるとともに、凹部３３８が設けられている。調整ボタン３３１〜３３４によってフェダー、バランスを調整してＯＫボタン３３６を押すと、バス、トレブルの設定値が変更され、その画面でバス、トレブルの値を変更してもキャンセルボタン３３７を押すと、バス、トレブルの設定値が変更されない。
さらに、図４２に示すようにラウドネスについてのリスト項目ボタン３１１ｃがカーソルにより選択された状態では、窓部３１２にはラウドネスの現在の設定内容が表示され、上記同様にそのリスト項目ボタン３１１ｃをクリックすると、ラウドネスのＯＮ／ＯＦＦを切り替えることができる。このようにコントロールパネル画面３００において設定し得る項目を、表１に一覧として示す。
【表１】
2004061523.tif 000003
このコントロールパネル画面３００に移行するためのアイコン１０２ｅには、図４３に示すように、ユーザーの注意を喚起するためのエクスクラメーション・マークＭが表示されることがある。エクスクラメーション・マークＭはシステム上の異常等があることをユーザーに知らせるためのもので、図４３の状態においていずれかのアイコンがクリックされると、移行した画面においてもタイトルバーにエクスクラメーション・マークＭが表示される。例えば図４３の状態においてアイコン１０２ａがクリックされると、図４４に示すようにラジオ画面のタイトルバー１６５にエクスクラメーション・マークＭが表示され、図４３の状態においてアイコン１０２ｅがクリックされると、図４５に示すようにコントロールパネル画面３００のタイトルバー３０７にエクスクラメーション・マークＭが表示され、このコントロールパネル画面３００においてサテライトボタン３０２ｌが操作されて表示幕３４０が表示されると、例えば図４６に示すように異常箇所に関するリスト項目ボタンにエクスクラメーション・マークＭが表示されている。表示幕３４０には、システムに関する項目がリスト表示され、表示幕３４０の左側にはスクロールダイヤル３４３及びポジションバー３４４が設けられ、右側にはカーソルが位置するリスト項目ボタン３４１についての内容を表示する窓部３４２が設けられている。図４６では、バッテリー情報についてのリスト項目ボタン３４１ａにエクスクラメーション・マークＭが表示されており、車両のバッテリー又はコンピュータの内蔵電池のいずれかの残量が不足していることをユーザーに警告している。
スタートメニュー画面１０１においてアイコン１０２ｇが選択されると、モニタ１６には図４７に示すメール画面４００が表示される。このメール画面４００には、画面中央部に配置されたベースリング４０１と、ベースリング４０１に沿ってその周囲に設けられたサテライトボタン４０２ａ〜４０２ｄとが表示され、ベースリング４０１の内部は情報表示部４０３となっている。メール画面４００の下部にはリストボタン４０４が表示され、上部左右にはリストチェンジボタン４０５，４０６が表示され、リストチェンジボタン４０５が指でタッチされるか右ボタン２３が押されるとカーソルが位置するサテライトボタンが時計回りに変更され、リストチェンジボタン４０６が指でタッチされるか左ボタン２２が押されるとカーソルが位置するサテライトボタンが時計回りに変更される。また、リストチェンジボタン４０６には、フォーカスされているサテライトボタンに付された文字列が表示される。
図４７に示すようにサテライトボタン４０２ｃ（受信箱ボタン）がフォーカスされた状態でリストボタン４０４が指でタッチされるかリストボタン２１が押されると、あるいは、サテライトボタン４０２ｃがクリックされると、モニタ１６には図４８に示す表示幕４１０が画面下部から露出表示される。表示幕４１０には、受信箱にあるメールのリスト４１１と、スクロールダイヤル４１２と、ポジションバー４１３と、送受信ボタン４１４と、新規メールボタン４１５と、並べ替えボタン４１５とが表示されている。
リスト４１１を構成するリスト項目ボタン４１１ａが上記所定時間未満の範囲で指でタッチされるか、コントローラー２０によりクリックされると、モニタ１６には図４９に示す表示幕４２０が表示幕４１０に重なるように画面下部から露出表示される。表示幕４２０には、件名欄４２１と、差出人欄４２２と、本文欄４２３と、スクロールダイヤル４２４と、ポジションバー４２５と、送受信ボタン４２６と、クローズボタン４２７とが表示されている。さらに、スクロールダイヤル４２４により画面を下方にスクロールさせると、表示幕４２０には図５０に示すように宛先欄４２８と、カーボンコピー欄４２９と、添付ファイル欄４３０とが表示される。この添付ファイル欄４３０に添付ファイルがあるときは、添付ファイル欄４３０の左側にはクリップマーク４３１が表示される。
表示幕４２０において件名欄４２１がクリックされると、図５１に示すウインドウ４４０が表示幕４２０に重ねて表示される。ウインドウ４４０には、件名の内容が表示される窓部４４１と、ポジションバー４４２と、クローズボタン４４３とが表示されるとともに、スクロールダイヤル４２４を露出させるための凹部４４４が設けられている。
表示幕４２０において差出人欄４２２がクリックされると、図５２に示すウインドウ４５０が表示幕４２０に重ねて表示される。ウインドウ４５０には、差出人の詳細が表示される窓部４５１と、ポジションバー４５２と、クローズボタン４５３とが表示されるとともに、スクロールダイヤル４２４を露出させるための凹部４５４が設けられている。
表示幕４２０において本文欄４２３がクリックされると、図５３に示すウインドウ４６０が表示幕４２０に重ねて表示される。ウインドウ４６０には、本文の内容が表示される窓部４６１と、ポジションバー４６２と、クローズボタン４６３とが表示されるとともに、スクロールダイヤル４２４を露出させるための凹部４６４が設けられている。
表示幕４２０において宛先欄４２８がクリックされると、図５４に示すウインドウ４７０が表示幕４２０に重ねて表示される。ウインドウ４７０には、差出人の詳細が表示される窓部４７１と、ポジションバー４７２と、クローズボタン４７３とが表示されるとともに、スクロールダイヤル４２４を露出させるための凹部４７４が設けられている。
また、表示幕４２０において添付ファイル欄４３０がクリックされると、図５５に示すウインドウ４８０が表示幕４２０に重ねて表示される。ウインドウ４８０には、添付ファイルのリスト４８１と、ポジションバー４８２と、クローズボタン４８３とが表示されるとともに、スクロールダイヤル４２４を露出させるための凹部４８４が設けられている。この表示幕４２０において、例えばリスト４８１におけるリスト項目ボタン４８１ａが上記所定時間未満の範囲で指でタッチされるか、コントローラー２０によりクリックされると、添付ファイルに適したアプリケーションが自動的に立ち上がり添付ファイルの内容が表示される。一方、リスト項目ボタン４８１ａが指でタッチされて上記所定時間が経過すると、モニタ１６には図５６に示すポップアップメニュー４８５が表示され、添付ファイルの保存方法が選択可能となる。
一方、図４８の画面においてリスト項目ボタン４１１ａが指でタッチされて上記所定時間が経過すると、モニタ１６には図５７に示すポップアップメニュー４１７が表示される。このコンピューター１では、メールを受信する際にメールの一部のみ（ヘッダー部分のみやヘッダー部分及び本文の一部）を受信するが、ポップアップメニュー４１７において「全文受信」がクリックされると選択されているメールの全文を受信する。また、ポップアップメニュー４１７において「返信」がクリックされると選択されているメールに対する返信メール作成用の画面が表示され、ポップアップメニュー４１７において「転送」がクリックされると選択されているメールに対する転送メール作成用の画面が表示される。さらに、このコンピューター１は削除したメールを削除済みのものとして一時的に蓄えておく場所を有しないが、ポップアップメニュー４１７において「ロック」がクリックされると受信メールが削除不能となって不慮の消失を防止することができる。ユーザーが受信メールを削除する際には、ポップアップメニュー４１７において「削除」（選択されているメールのみの削除）又は「全削除」（受信箱にあるメールをすべて削除）をクリックすればよく、例えば「削除」が選択されるとモニタ１６には図５８に示すウインドウ４９０が表示される。このウインドウ４９０には、ユーザーに対して削除を確認する旨と、ＯＫボタン４９１と、キャンセルボタン４９２とが表示され、ＯＫボタン４９１がクリックされると選択されたメールの削除処理が実行される。
ポップアップメニュー４１７において「アドレス帳に登録」がクリックされると、後述のアドレス帳画面における表示幕８９０が表示される。この表示幕８９０には、選択されたメールの送信者に関するデータのリスト８９１と、その送信者の写真等が表示される窓部８９２と、スクロールダイヤル８９３と、ポジションバー８９４と、ＯＫボタン８９５と、キャンセルボタン８９６とが表示される。
図４８の画面において送受信ボタン４１４がクリックされると、図６０に示すようにウインドウ５００が表示されてメールの送受信が行われる。ウインドウ５００にはＯＫボタン５０１及びキャンセルボタン５０２が表示され、ＯＫボタン５０１がクリックされるとウインドウ５００が消失して送受信処理が続行され、キャンセルボタン５０２がクリックされるとウインドウ５００が消失して送受信処理が中止される。
図４８の画面において新規メールボタン４１５がクリックされると、図６１に示す表示幕５１０が表示される。この表示幕５１０には、件名入力欄５１１と、宛先入力欄５１２と、本文入力欄５１３と、スクロールダイヤル５１４と、ポジションバー５１５と、添付詳細ボタン５１６と、送信ボタン５１７と、ＯＫボタン５１８と、キャンセルボタン５１９とが表示されている。また、スクロールダイヤル５１４又はスクロールダイヤル２５により画面を下方にスクロールさせると、カーボンコピーやファイル添付のための入力欄が表示される。
図４７の画面においてサテライトボタン４０２ｂ（送信箱ボタン）がフォーカスされた状態でリストボタン４０４が指でタッチされるかリストボタン２１が押されると、若しくはサテライトボタン４０２ｂがクリックされると、又は図４８の画面においてリストチェンジボタン４０５，４０６が指でタッチされるか左ボタン２２又は右ボタン２３が押され、リストチェンジボタン４０５における表示が「送信箱」となると、モニタ１６には図６２に示す表示幕４２０が表示される。表示幕５２０には、送信箱にあるメールのリスト５２１と、スクロールダイヤル５２２と、ポジションバー５２３と、送受信ボタン５２４と、並べ替えボタン５２５とが表示されている。
この表示幕５２０において、例えばリスト項目ボタン５２１ｃが上記所定時間未満指でタッチされるかコントローラー２０によりクリックされると、モニタ１６には図６３に示す表示幕５３０が表示される。表示幕５３０には、図４９に示した受信箱についての表示幕４２０と同様に、件名欄５３１と、宛先欄５３２（表示幕４２０における差出人欄４２２に対応）と本文欄５３３と、スクロールダイヤル５３４と、ポジションバー５３５と、送信ボタン５３６と、ＯＫボタン５３７と、キャンセルボタン５３８とが表示され、添付ファイルがある場合にはクリップマーク５３９がさらに表示される。
一方、リスト項目ボタン５２１ｃが指でタッチされて上記所定時間が経過すると表示幕５２０には図６４に示すポップアップメニュー５２６が重ねて表示されるが、その内容は図５７に示した受信箱についてのポップアップメニュー４１７の項目を限っただけなので説明を省略する。
スタートメニュー画面１０１においてアイコン１０２ｈが選択されると、モニタ１６には図６５に示す電話画面６００が表示される。この電話画面６００には、画面中央よりもやや左側に配置されたベースリング６０１と、ベースリング６０１に沿ってその周囲に設けられたサテライトボタン６０２ａ〜６０２ｅとが表示され、ベースリング６０１の内部は情報表示部６０３となっている。電話画面６００の画面右側のスペースには、電話番号等のデータ入力用のテンキーボタン６０４が表示されている。
サテライトボタン６０２ａ〜６０２ｅは、通話の基本操作に関するサテライトボタン群と、登録された電話番号を短縮ダイヤルにより呼び出すためのサテライトボタン６０２ａと、テンキーボタン６０４による入力をクリアするためのサテライトボタン６０２ｂ（クリアボタン）と、リダイアル用のサテライトボタン６０２ｃとに分けて配置され、サテライトボタン群は、回線接続用のサテライトボタン６０２ｅと、回線切断用のサテライトボタン６０２ｄとから構成されている。
電話画面６００の下部にはリストボタン６０５が表示され、上部左右にはリストチェンジボタン６０６，６０７が表示されている。リストチェンジボタン６０６，６０７が指でタッチされるか左ボタン２２又は右ボタン２３が押されると、リストチェンジボタン６０６における表示が「番号リスト」、「発信履歴」、「着信履歴」と変更され、リストボタン６０５が指でタッチされるか、リストボタン２１が押されるかのいずれかにより現れるそれぞれの表示に対応した表示幕６１０，６２０，６３０は、図６６、図６７、図６８に示すようになっている。
図６６に示す表示幕６１０においては、画面中央に電話番号のリスト６１１が表示されるとともに、その右側にはフォーカスされているリスト項目ボタンに対応する登録者の写真等及び電話番号が表示される窓部６１２が設けられている。この実施の形態では、各リスト項目ボタンには登録者の氏名と固定電話、携帯電話の別が表示されている。そのリスト項目ボタンの左側にはスクロールダイヤル６１３及びポジションバー６１４と、５０音別インデックス６１５とが表示されている。
図６７に示す表示幕６２０においては、画面中央に発信履歴のリスト６２１が表示されるとともに、その右側にはフォーカスされているリスト項目ボタンに対応する登録者の写真等及び電話番号が表示される窓部６２２が設けられている。各リスト項目ボタンには、発信日時と発信先の氏名並びに固定電話、携帯電話の別が表示され、そのリスト項目ボタンの左側にはスクロールダイヤル６２３及びポジションバー６２４が表示されている。
図６８に示す表示幕６３０においては、画面中央に着信履歴のリスト６３１が表示されるとともに、その右側にはフォーカスされているリスト項目ボタンに対応する登録者の写真等及び電話番号が表示される窓部６３２が設けられている。各リスト項目ボタンには、着信日時と発信元の氏名並びに固定電話、携帯電話の別が表示され、そのリスト項目ボタンの左側にはスクロールダイヤル６３３及びポジションバー６３４が表示されている。この画面において、例えばリスト項目ボタン６３１ａがクリックされると表示幕６３０が消失して図６９に示すような画面となり、ここでサテライトボタン６０２ｅがクリックされると遠藤氏の固定電話（図６８参照）に電話がかけられる。
図６５の画面において表示幕を表示させることなく直接電話をかける際には、短縮ダイヤルを用いる場合と、電話番号を直接入力する場合とがある。短縮ダイヤルによる場合は、ユーザーはサテライトボタン６０２ａ（短縮ボタン）をクリックした後に、テンキーボタン６０４又はリモコン２９のテンキーボタン２７の「１」、「２」、「３」、「４」、「５」、「６」のいずれかをクリックする。コンピューター１では短縮ダイヤルとして６件分の電話番号を登録可能で、例えばサテライトボタン６０２ａがクリックされた後にテンキーボタン６０４の「１」がクリックされると、図７０に示すように情報表示部６０３に短縮１番の登録電話番号と登録者とが表示される。この状態でサテライトボタン６０２ｅがクリックされると、登録者である坂井氏に電話がかけられる。
また、短縮ダイヤルによる場合は、ユーザーはテンキーボタン６０４及びテンキーボタン２７を使用せずに、単にサテライトボタン６０２ａをクリックするだけでも電話をかけることができる。すなわち、コンピューター１においては、ユーザーがサテライトボタン６０２ａを１回クリックすると、情報表示部６０３には図７０に示したように短縮１番の登録電話番号と登録者とが表示され、ユーザーがサテライトボタン６０２ａを２回クリックすると、情報表示部６０３には短縮２番の登録電話番号と登録者とが表示され、ユーザーがサテライトボタン６０２ａをｎ回クリックすると、情報表示部６０３には短縮ｎ番の登録電話番号と登録者とが表示されるようになっている（３≦ｎ≦６）。したがって、そのようにサテライトボタン６０２ａのクリックを繰り返すことによって、ユーザーは短縮ダイヤルとして登録された所望の登録電話番号を呼び出し電話をかけることができる。
一方、ユーザーがマニュアルで電話番号を入力する場合には、ユーザーはテンキーボタン６０４又はテンキーボタン２７により一文字ずつ電話番号を入力する。入力された数字は図７１に示すように情報表示部６０３に表示され、入力を誤った場合にはサテライトボタン６０２ｂ（クリアボタン）を上記所定時間未満の範囲で指でタッチするかコントローラー２０によりクリックすることにより、直前に入力した一文字を削除することができる。サテライトボタン６０２ｂが指でタッチされて上記所定時間が経過した場合には、入力したすべての文字が削除される。電話番号の入力が完了してサテライトボタン６０２ｅがクリックされると、その入力された電話番号に対して電話がかけられる。
ところで、前述したように、サテライトボタン間、サテライトボタン群間におけるカーソルの移動は、リモコン１９のコントローラー２０、左ボタン２２、右ボタン２３及びリストチェンジボタンにより行うことが可能である。図７１の画面においては、ベースリング６０１の周囲に四つのサテライトボタン群があると見ることもできるが、左側のサテライトボタン６０２ｃ〜６０２ｅは電話をかける又は切るという目的のためにそれ以降の操作を要求しないのに対し、右側のサテライトボタン６０２ａ，６０２ｂはそれをクリックした後も他の操作（テンキーボタン６０４又はテンキーボタン２７による入力等）を要求するという点で異なり、これらは二つのサテライトボタン群に分けることもできる。本実施の形態では、カーソルの移動に関し、サテライトボタン６０２ａ〜６０２ｅをそのような左右二つのサテライトボタン群に分けて規定している。
すなわち、コントローラー２０について言えば、サテライトボタン６０２ａ，６０２ｂ（以下「第一サテライトボタン群」という。）の間におけるカーソルの移動及びサテライトボタン６０２ｃ〜６０２ｅ（以下「第二サテライトボタン群」という。）の間におけるカーソルの移動は上下方向の操作により行われ、第一サテライトボタン群、第二サテライトボタン群、さらにはテンキーボタン６０４の間におけるカーソルの移動は左右方向の操作により行われる。ここでは、第二サテライトボタン群又はテンキーボタン６０４から第一サテライトボタン群にカーソルが移動してきた際は、第一サテライトボタン群の画面最上方にあるサテライトボタン６０２ａがフォーカスされ、第一サテライトボタン群から第二サテライトボタン群にカーソルが移動してきた際は、第二サテライトボタン群の画面最上方にあるサテライトボタン６０２ｅがフォーカスされ、第一サテライトボタン群からテンキーボタン６０４にカーソルが移動してきた際は、「０」のボタンがフォーカスされるように構成されている。ここで、サテライトボタン６０２ａ，６０２ｅ及び「０」のボタンはいずれも使用頻度が高いものであるため、サテライトボタン群間（サテライトボタン群とテンキーボタンとの間も含む。以下同様）のカーソルの移動後すぐにそれらのボタンをクリックすることができ、電話をかける際のユーザーの操作が容易になっている。
但し、サテライトボタン群間の移動直後のカーソル位置は必ずしもこれに限られるものではなく、ラジオ画面１５０の説明においても言及したように、カーソルが移動先のサテライトボタン群又はテンキーボタンにおいて先にあった位置に戻るようにしてもよい。
あるいは、テンキーボタン６０４に戻るカーソルについては、発信前であればカーソルが先にあった位置に戻り、一旦発信がされた後はカーソルが「０」のボタンに戻るようにしてもよい。このように構成することにより、例えばユーザーがテンキーボタン６０４の入力操作を誤ってクリアボタンであるサテライトボタン６０２ｂをクリックし、再度カーソルがテンキーボタン６０４に戻ってきた際に、そのカーソルが戻ってきた位置のボタン自体は操作を誤って入力してしまったもので次にクリックすべきものではないが、通常その近傍に本来クリックすべきボタンが位置しているので、カーソルが戻ってきた位置から本来クリックすべきボタンまでの距離が近くなりユーザーの入力作業が容易となる。そして、入力作業が完了して発信が行われた後は、次に入力されるのは新たな電話番号であって「０」で始まることが一般であるから、カーソルがテンキーボタン６０４に移動してきた段階で「０」がフォーカスされていることにより次回の入力も容易となる。ただ、この方法では、テンキーボタン６０４において、第一サテライトボタン群にカーソルが移動する直前にフォーカスされるボタンは「１」、「４」、「７」、「＊」に限られるため、カーソルをその移動直前にフォーカスされていたボタンに戻すのではなく、その移動直前にクリックされたボタンに戻すようにしてもよい。
なお、カーソルがテンキーボタン６０４に移動する時点が発信の前後いずれであるかは、ＣＰＵ６４及びＲＡＭ６６により監視され、ＲＡＭ６６に入力中の電話番号が記憶されているとき（入力中の電話番号が情報表示部６０３に表示されているとき）にはＣＰＵ６４は発信前と判断し、その記憶された電話番号が発信によりクリアされたときにはＣＰＵ６４は発信後であると判断する。また、サテライトボタンにあるカーソルは右ボタン２３又はリストチェンジボタン６０６によればサテライトボタン群の別なく時計回りに順次移動し、左ボタン２２又はリストチェンジボタン６０７によればサテライトボタン群の別なく反時計回りに順次移動する。図１１９乃至図１２２に、コントローラー２０の操作によるカーソルの移動例を模式的に示す。
図１１９は、コントロールパネル画面３００におけるカーソルの移動例を示し、コントローラー２０が上方又は下方に操作された場合にはカーソルはサテライトボタン群の中で巡回するように移動し、コントローラー２０が左方又は右方に操作された場合にはカーソルは他のサテライトボタン群に移動し得る。詳細には、カーソルが左側のサテライトボタン群にあるときにコントローラー２０が右方に操作されると、カーソルは右側のサテライトボタン群の最上方（サテライトボタン３０２ａ（３０２ｈ））に移動し、コントローラーが左方に操作されると、その操作は無効となる。また、カーソルが右側のサテライトボタン群にあるときにコントローラー２０が左方に操作されると、カーソルは左側のサテライトボタン群の最上方（サテライトボタン３０２ｇ（３０２ｎ））に移動し、コントローラー２０が右方に操作されると、その操作は無効となる。
図１２０は、電話画面６００におけるカーソルの移動例を示し、左側のサテライトボタン群にあるカーソルの移動方法は図１１９におけると同様であるが、カーソルが右側のサテライトボタン群にあるときにコントローラー２０が右方に操作されると、カーソルはテンキーボタン６０４の「０」のボタンに移動する。カーソルがテンキーボタン６０４から右側のサテライトボタン群に移動するには、カーソルが「１」、「４」、「７」、「＊」のいずれかのボタンにあるときにコントローラー２０が左方に操作されなければならず、カーソルが「３」、「６」、「９」、「＃」のいずれかのボタンにあるときにコントローラー２０が右方に操作されると、その操作は無効である。
図１２１は、コントロールパネル画面３００におけるカーソルの移動例を示し、図中の▲１▼〜▲９▼はコントローラー２０の操作によりカーソルがその順に移動したことを表している。右側のサテライトボタン群においてサテライトボタン３０２ｂ（３０２ｉ）にあったカーソルが左側のサテライトボタン群に移動し（▲２▼）、それがサテライトボタン３０２ｆ（３０２ｍ）から右側のサテライトボタン群に戻ってくるときに、カーソルは右側のサテライトボタン群のうち直近に位置していたサテライトボタン３０２ｂ（３０２ｉ）に戻る（▲５▼）。そして、カーソルがサテライトボタン３０２ｃ（３０２ｊ）から再度左側のサテライトボタン群に移動するときには、左側のサテライトボタン群のうち直近に位置していたサテライトボタン３０２ｆ（３０２ｍ）に戻り（▲７▼）、次にカーソルが右側のサテライトボタン群に戻ってくるときには、右側のサテライトボタン群のうち直近に位置していたサテライトボタン３０２ｃ（３０２ｊ）に戻る（▲９▼）。
図１２２は、電話画面６００におけるカーソルの移動例を示し、図中の▲１▼〜▲７▼はコントローラー２０の操作によりカーソルがその順に移動したことを表している。テンキーボタン６０４において「４」のボタンにあったカーソルが右側のサテライトボタン群に移動するときに、それが右側のサテライトボタン群にあった履歴がなければ右側のサテライトボタン群の最上方（サテライトボタン６０２ａ）に移動し（▲２▼）、そのカーソルがサテライトボタン６０２ｂから左側のサテライトボタン群に移動するときに、それが左側のサテライトボタン群にあった履歴がなければ左側のサテライトボタン群の最上方（サテライトボタン６０２ｅ）に移動する（▲４▼）。一方、左側のサテライトボタン群から右側のサテライトボタン群にカーソルが戻ってくるときには、カーソルが右側のサテライトボタン群のうち直近ではサテライトボタン６０２ｂに位置していたという履歴があるので、カーソルはそのサテライトボタン６０２ｂに戻る（▲７▼）。
スタートメニュー画面１０１においてアイコン１０２ｉが選択されると、モニタ１６には図７２に示すスケジューラー画面７００が表示される。このスケジューラー画面７００には、画面中央部に配置されたベースリング７０１と、ベースリング７０１に沿ってその周囲に設けられたサテライトボタン７０２ａ〜７０２ｃとが表示され、ベースリング７０１の内部は情報表示部７０３となっている。また、スケジューラー画面７００の下部にはリストボタン７０４が表示され、上部左右にはリストチェンジボタン７０５，７０６が表示され、リストチェンジボタン７０５，７０６が指でタッチされるか左ボタン２２又は右ボタン２３が押されると、カーソルの位置するサテライトボタンが変更される。同図においては、カレンダー（月リスト）のサテライトボタン７０２ａがフォーカスされており、この状態でリストボタン７０４が指でタッチされるかリストボタン２１が押されると、図７３に示すように表示幕７１０が露出表示される。
表示幕７１０には、その月から翌月にかけてのカレンダー７１１と、スクロールダイヤル７１２と、ポジションバー７１３とが表示される。カレンダー７１１の各日付における四角形のマーク７１４は、その日に入っている予定に合わせて付されており、同図の画面において例えば２４日がクリックされると図７４に示す新たな表示幕７２０が表示され、２４日の詳細な予定が示される。表示幕７２０には、中央に予定リスト７２１が、その左側にスクロールダイヤル７２２、ポジションバー７２３及び日付インデックス７２４が、その右側に新規予定、新規予約入力用のボタン７２５，７２６が設けられ、この表示幕７２０は、スケジューラー画面７００において日リストのサテライトボタン７０２ｂが選択された状態でリストボタン７０４が指でタッチ等されても表示される。
スケジューラー画面７００において、直近リストのサテライトボタン７０２ｃがフォーカスされた状態でリストボタン７０４が指でタッチされるかリストボタン２１が押されると、図７５に示す表示幕７３０が表示される。この表示幕７３０には、中央に現在から直近までの６件の予定がリスト７３１として表示され、その左側にスクロールダイヤル７３２及びポジションバー７３３が、その右側に新規予定、新規予約入力用のボタン７３４，７３５が設けられている。この画面において例えば「打ち合わせ」と記されたリスト項目ボタン７３１ｄをクリックすると、図７６に示すように「打ち合わせ」の詳細が記された表示幕７４０が表示される。なお、表示幕７４０には、予定内容の詳細を示すリスト７４１の他に、スクロールダイヤル７４１と、ポジションバー７４２と、ＯＫボタン７４３と、キャンセルボタン７４４とが設けられている。
スタートメニュー画面１０１においてアイコン１０２ｌが選択されると、モニタ１６には図７７に示すアドレス帳画面８００が表示される。このアドレス帳画面８００には、画面中央部に配置されたベースリング８０１と、ベースリング８０１に沿ってその周囲に設けられたサテライトボタン８０２ａ〜８０２ｅとが表示され、ベースリング８０１の内部は情報表示部８０３となっている。また、アドレス帳画面８００の下部にはリストボタン８０４が表示され、上部左右にはリストチェンジボタン８０５，８０６が表示され、リストチェンジボタン８０５，８０６が指でタッチされるか左ボタン２２又は右ボタン２３が押されると、カーソルの位置するサテライトボタンが変更される。同図においては、電話番号リストのサテライトボタン８０２ｃがフォーカスされており、この状態でリストボタン８０４が指でタッチされるかリストボタン２１が押されると、図７８に示すように表示幕８１０が露出表示される。
表示幕８１０では、電話番号情報が登録されている人の氏名のリスト８１１がその中央に表示され、例えば図においてはリスト項目ボタン８１１ａがフォーカスされているとともに、その右側に対応する人物の写真等が付されたアイコン８１２が表示されている。ここでは、アイコン８１２には携帯電話のマーク、固定電話のマーク、勤務先のマーク（建物のマーク）、「ＵＲＬ」のマーク、「＠」のマーク及び「ＰＯＩ」のマークが付記されているが、これは同人物については氏名等の他に携帯電話の電話番号情報、固定電話の電話番号情報、勤務先情報、ＵＲＬ情報、メールアドレス情報及びＰＯＩ情報（登録者に関する何らかの位置情報）が登録されていることを意味する。この表示幕８１０の画面左側には、スクロールダイヤル８１３、ポジションバー８１４及び５０音別インデックス８１５が表示されている。
表示幕８１０において例えばリスト項目ボタン８１１ａが上記所定時間以上指でタッチされると、図７９に示すポップアップメニュー８１６が表示される。このポップアップメニュー８１６で「削除」がクリックされると選択された人のアドレス情報が削除され、「全削除」がクリックされるとすべての人のアドレス情報が削除される。
表示幕８１０においてリスト項目ボタン８１１ａが上記所定時間未満の範囲で指でタッチされるか、コントローラー２０によりクリックされると、モニタ１６には図８０に示すように新たな表示幕８２０が表示される。表示幕８２０には、選択された登録者に関する詳細データのリスト８２１と、その登録者の写真等が表示される窓部８２２と、スクロールダイヤル８２３と、ポジションバー８２４と、ＯＫボタン８２５と、キャンセルボタン８２６とが表示されている。そのリスト８２１について、同図においては氏名、氏及びそのフリガナ、名及びそのフリガナ、並びにグループの項目のみが表示されているが、スクロールダイヤル８２３又はスクロールダイヤル２５により画面を下方にスクロールすることによって、「自宅住所」、「会社名」、「会社住所」、「携帯ＴＥＬ」、「自宅ＴＥＬ」、「会社ＴＥＬ」、「メール　１」、「メール２」、「メール　３」、「ＵＲＬ」等の各種項目が表示され、図８１乃至図８３はスクロールダイヤル８２３又はスクロールダイヤル２５を動かしたときの画面を示す。
図８１の画面において、自宅住所のリスト項目ボタン８２１ｇが上記所定時間未満の範囲で指でタッチされるか、コントローラー２０によりクリックされると、図８４に示すように自宅住所編集用のウインドウ８４０が表示幕８２０に重ねて表示される。ウインドウ８４０には、郵便番号入力欄８４１と、都道府県入力欄８４２と、市町村入力欄８４３と、番地入力欄８４４と、ポジションバー８４５と、ＯＫボタン８４６と、キャンセルボタン８４７と、凹部８４８とが設けられている。その郵便番号入力欄８４１、都道府県入力欄８４２、市町村入力欄８４３又は番地入力欄８４４がクリックされると、モニタ１６には図２１に示したと同様なキーボードによる入力画面が表示され、各欄の入力及び編集が可能となっている。一方、図８１の画面において、リスト項目ボタン８２１ｇが指でタッチされて所定時間以上経過すると、図８５に示すようにポップアップメニュー８２７が表示され、このポップアップメニュー８２７において「メール本文に記入」がクリックされると、モニタ１６には図８６に示すようにその自宅住所が本文に記入されたメール作成用の表示幕５４０が表示される。この表示幕５４０には、件名入力欄５４１と、宛先入力欄５４２と、本文入力欄５４３と、スクロールダイヤル５４４と、ポジションバー５４５と、送信ボタン５４６と、ＯＫボタン５４７と、キャンセルボタン５４８とが設けられているほか、画面を下方にスクロールさせることにより表示される宛先欄、カーボンコピー欄及び添付ファイル欄が設けられている。
図８２の画面において、自宅電話番号のリスト項目ボタン８２１ｋが上記所定時間未満の範囲で指でタッチされるか、コントローラー２０によりクリックされると、図８７に示すように自宅電話番号編集用のウインドウ８５０が表示幕８２０に重ねて表示される。ウインドウ８５０には、電話番号入力欄８５１と、ポジションバー８５２と、ＯＫボタン８５３と、キャンセルボタン８５４と、凹部８５５とが設けられている。その電話番号入力欄８５１がクリックされると、モニタ１６にはキーボードによる入力画面が表示され、電話番号入力欄８５１の入力及び編集が可能となっている。一方、図８２の画面において、リスト項目ボタン８２１ｋが指でタッチされて所定時間以上経過すると、図８８に示すようにポップアップメニュー８２８が表示される。このポップアップメニュー８２８において「電話をかける」がクリックされると、その自宅電話番号に対する発信画面が図８９に示すように表示され、ポップアップメニュー８２８において「ナビで検索」がクリックされると、その電話番号に対応する位置を表す地図が図９０に示すように表示され、ポップアップメニュー８２８において「メール本文に記入」が選択されると、その自宅電話番号が本文に記入されたメール作成用の表示幕５４０が図９１に示すように表示される。
図８２の画面において、アドレス（メールアドレス）のリスト項目ボタン８２１ｍが上記所定時間未満の範囲で指でタッチされるか、コントローラー２０によりクリックされると、図９２に示すようにアドレス編集用のウインドウ８６０が表示幕８２０に重ねて表示される。ウインドウ８６０には、アドレス入力欄８６１と、ポジションバー８６２と、ＯＫボタン８６３と、キャンセルボタン８６４と、凹部８６５とが設けられている。そのアドレス入力欄８６１がクリックされると、モニタ１６にはキーボードによる入力画面が表示され、アドレス入力欄８６１の入力及び編集が可能となっている。一方、図８２の画面において、リスト項目ボタン８２１ｍが指でタッチされて所定時間以上経過すると、図９３に示すようにポップアップメニュー８２９が表示される。このポップアップメニュー８２９において「メールを送る」がクリックされると、そのアドレスを宛先としたメール作成用の表示幕５４０が図９４に示すように表示され、ポップアップメニュー８２９において「メール本文に記入」が選択されると、そのアドレスが本文に記入されたメール作成用の表示幕５４０が図９５に示すように表示される。
図８３の画面において、ＵＲＬのリスト項目ボタン８２１ｐが上記所定時間未満の範囲で指でタッチされるか、コントローラー２０によりクリックされると、図９６に示すようにＵＲＬ編集用のウインドウ８７０が表示幕８２０に重ねて表示される。ウインドウ８７０には、ＵＲＬ入力欄８７１と、ポジションバー８７２と、ＯＫボタン８７３と、キャンセルボタン８７４と、凹部８７５とが設けられている。そのＵＲＬ入力欄８７１がクリックされると、モニタ１６にはキーボードによる入力画面が表示され、ＵＲＬ入力欄８７１の入力及び編集が可能となっている。一方、図８３の画面において、リスト項目ボタン８２１ｐが指でタッチされて所定時間以上経過すると、図９７に示すようにポップアップメニュー８３０が表示される。このポップアップメニュー８３０において「ブラウザで表示」がクリックされると、後述のブラウザが起動されてそのＵＲＬのページが図９８に示すように表示され、ポップアップメニュー８３０において「メール本文に記入」が選択されると、そのＵＲＬが本文に記入されたメール作成用の表示幕５４０が図９９に示すように表示される。
図８３の画面において、ＰＯＩのリスト項目ボタン８２１ｑが上記所定時間未満の範囲で指でタッチされるか、コントローラー２０によりクリックされると、図１００に示すようにＰＯＩ編集用のウインドウ８８０が表示幕８２０に重ねて表示される。ウインドウ８８０には、ＰＯＩ入力欄８８１と、コメント入力欄８８２と、ポジションバー８８３と、ＯＫボタン８８４と、キャンセルボタン８８５と、凹部８８５とが設けられている。そのＰＯＩ入力欄８８１又はコメント入力欄８８２がクリックされると、モニタ１６にはキーボードによる入力画面が表示され、各欄の入力及び編集が可能となっている。一方、図８３の画面において、リスト項目ボタン８２１ｑが指でタッチされて所定時間以上経過すると、図１０１に示すようにポップアップメニュー８３１が表示される。このポップアップメニュー８３１において「ナビで地図に表示」がクリックされると、そのＰＯＩに対応する位置を表す地図が図１０２に示すように表示され、ポップアップメニュー８３１において「メール本文に記入」が選択されると、そのＰＯＩが本文に記入されたメール作成用の表示幕５４０が図１０３に示すように表示される。
なお、アドレス帳画面８００においてサテライトボタン８０２ａ以外の他のサテライトボタンを選択したときにも表示幕８１０と同様の表示幕が表示され、その表示幕においてリスト項目ボタンをクリックすると表示幕８２０と同様の表示幕を表示させることができる。
以上説明した以外にも、スタートメニュー画面１０１には他のアイコンが用意されているが、他のアイコンではモニタ１６を一杯に使った表示が優先されることも多いため、必ずしもベースリングやサテライトボタン等は表示されない。例えばスタートメニュー画面１０１においてアイコン１０２ｄがクリックされた場合には、モニタ１６には図１０４に示すようにＴＶ放送画面９００が表示される。画面下部には受信されているＴＶ局名、チャンネル、ステレオの有無等を示すステータスバー９００ａが表示される。なお、このステータスバー９００ａは表示されてから一定の時間が経過すると自動的に消去され、ＴＶ画面の表示エリアが拡大される。図１０４の状態で、操作ボタン１７ｂ（メニューボタン）が操作されると画面下部には図１０５に示すようなツールバー９０１がステータスバー９００ａを押し上げるようにして表示される。また、スタートメニュー画面１０１においてアイコン１０２ｋがクリックされた場合には、モニタ１６には図１０６に示すようなカーナビゲーション画面９５０が表示される。
さらに、スタートメニュー画面１０１においてアイコン１０２ｆが選択されると、モニタ１６には図１０７に示すようにインターネット画面１０００が表示され、このとき操作ボタン１７ｂ（メニューボタン）が操作されると、画面下部には図１０８に示すツールバー１００１が表示される。ツールバー１００１において「次」のボタン１００１ａがクリックされると、ツールバー１００１が画面左側に退出消去された後に画面左側から図１０９に示すツールバー１００２が露出表示される。そして、このツールバー１００２において「前」のボタン１００２ａがクリックされると、ツールバー１００２が画面左側に退出消去された後に画面左側から再度ツールバー１００１が露出表示される。
ツールバー１００２において「履歴」のボタン１００２ｄがクリックされると、ツールバー１００２が画面下側に退出消去され、画面下側から表示幕１０１０が露出表示される（図１１０、図１１１）。表示幕１０１０には、過去にアクセスしたＵＲＬの履歴がリスト１０１１に一覧表示され、スクロールダイヤル１０１２と、ポジションバー１０１３とが表示されている。さらに、表示幕１０１０の上部にリストボタン１０１４が設けられているとともに、その左右にリストチェンジボタン１０１５，１０１６が設けられ、このリストチェンジボタン１０１５，１０１６が表示幕１０１０とともに上下に移動する点で、インターネット画面１０００は上述した他の画面と異なる。
表示幕１０１０において、例えばリスト項目ボタン１０１１ｃが上記所定時間未満の範囲で指でタッチされるか、コントローラー２０によりクリックされると、表示幕１０１０が画面下側に退出消去されてリスト項目ボタン１０１１ｃに記載されたＵＲＬのページがインターネット画面１０００に表示される。リスト項目ボタン１０１１ｃが指でタッチされて上記所定時間が経過すると、モニタ１６には図１１２に示すようにポップアップメニュー１０１７が表示され、このポップアップメニュー１０１７において「削除」がクリックされると、モニタ１６には図１１３に示すウインドウ１０２０が表示される。ウインドウ１０２０には、削除を確認する旨と、ＯＫボタン１０２１と、キャンセルボタン１０２２とが表示され、ＯＫボタン１０２１がクリックされると選択された履歴が削除される。
また、ツールバー１００２において「画面メモ」のボタン１００２ｅがクリックされると、ツールバー１００２が画面下側に退出消去され、画面下側から表示幕１０３０が露出表示される（図１１４）。表示幕１０３０には、過去にメモとして保存したＵＲＬがリスト１０３１に一覧表示され、スクロールダイヤル１０３２と、ポジションバー１０３３と、リストボタン１０３４と、リストチェンジボタン１０３５，１０３６とが表示されている。
表示幕１０３０において、例えばリスト項目ボタン１０３１ｃが上記所定時間未満の範囲で指でタッチされるか、コントローラー２０によりクリックされると、表示幕１０３０が画面下側に退出消去されてリスト項目ボタン１０３１ｃに記載されたＵＲＬのページがインターネット画面１０００に表示される。
リスト項目ボタン１０３１ｃが指でタッチされて上記所定時間が経過すると、モニタ１６には図１１５に示すようにポップアップメニュー１０３７が表示され、このポップアップメニュー１０３７において「更新」がクリックされると、モニタ１６には図１１６に示すウインドウ１０４０が表示される。ウインドウ１０４０には、更新を確認する旨と、ＯＫボタン１０４１と、キャンセルボタン１０４２とが表示され、ＯＫボタン１０４１がクリックされると選択されたメモ（ＵＲＬ）が更新される。
ポップアップメニュー１０３７において「ブックマークに追加」がクリックされると、モニタ１６には図１１７に示すウインドウ１０５０が表示される。ウインドウ１０５０には、ブックマークへの追加を確認する旨と、ＯＫボタン１０５１と、キャンセルボタン１０５２とが表示され、ＯＫボタン１０５１がクリックされると選択されたメモ（ＵＲＬ）がブックマークに追加される。
ポップアップメニュー１０３７において「削除」がクリックされると、モニタ１６には図１１８に示すウインドウ１０６０が表示される。ウインドウ１０６０には、削除を確認する旨と、ＯＫボタン１０６１と、キャンセルボタン１０６２とが表示され、ＯＫボタン１０６１がクリックされると選択されたメモ（ＵＲＬ）が削除される。
以上説明したように、本発明に係る情報表示装置において、表示幕を表示させる場合には表示幕を引き上げるように順次露出表示させ、表示幕を消去させる場合には表示幕を引き下げるように順次退出消去させることとしたので、幕の開閉という一般ユーザが馴染み易い画面切り替え方法を用いることができ、異なる画面を表示させる際の外観上のわかり易さ、面白さをユーザに与えることが可能となる。
また、各アプリケーションの情報が表示される情報表示部が形成されるベースリングと、このベースリングの周囲に設けられたサテライトボタンとを基本構成として、各アプリケーションの操作画面が形成されているので、アプリケーションの種類に拘わらずに操作画面上の統一感を図ることが可能となり、操作性を向上させることができる。
サテライトボタンが機能ごとに区分けられて配置されているので、ユーザがサテライトボタンの機能を配置位置から容易に把握することができ、さらに、リモコンの操作キーを左右に操作することにより機能ごとに区分けされたサテライトボタン群を選択し、上下に操作することによりサテライトボタン群内のサテライトボタンを選択することができるので、目的の機能を備えたサテライトボタンを感覚的に選び出すことができ容易にサテライトボタンの選択を行うことができる。さらに、操作キーの操作により選択されたサテライトボタンは、拡大表示されたり反転表示されたりするので、視覚的に選択項目を確認することができ、操作性を一層向上させることが可能となる。
また、スクロールダイヤルを操作することによりスクロールダイヤルを回転表示させつつ画面をスクロールさせるので、視覚的に表示範囲の切り替え操作を行うことができるとともに、スクロールダイヤルをあたかも回転させるかのようにして擦ることによって、ダイヤルを回転させながらモニタ１６に表示される画面をスクロールさせているような感覚をユーザに与えることができるので、操作上、外観上の馴染みやすさを生じさせることが可能となる。
なお、本発明は上述した形態に限られるものではなく、例えばリストチェンジボタンのクリックにより既に表示されている表示幕を新たな表示幕にすり替える際には、既に表示されている表示幕を一旦下方に退出消去させた後に新たな表示幕を下方から露出表示させるのではなく、既に表示されている表示幕を瞬時に消去させて新たな表示幕を瞬時に表示させることとしてもよい。すなわち、図１０の表示幕１５５について言えば、それが表示幕１５５に変えられる際には表示幕１５５が引き下ろされるようにして一旦下方に退出消去したが、このように表示幕１５５を引き下ろされるように退出消去させた後に表示幕１６０を引き上げるようにして順次露出表示させるのではなく、リストチェンジボタン１５６（又はリストチェンジボタン１６４）がクリックされた瞬間に表示幕の内容が変更されるようにしてもよい。
あるいは、既に表示されている表示幕を瞬時に消去させ、新たな表示幕を全体的に徐々に浮き上がらせるように表示させてもかまわない。これを上記表示幕１５５及び表示幕１６０に適用するならば、まず表示幕１５５を瞬時に消去させて、そのときに見えるはずの図７に示す画面（ラジオ画面１５ａ）の手前に新しい表示幕１６０の画像を透過率８０〜１００％程度で重ねて表示させる（透過率１００％であれば表示幕１６０は完全に見えず、透過率８０％程度であれば表示幕１６０は薄く見える。）。その後、順次透過率を下げていくことにより表示幕１６０が徐々に現れ、最終的には透過率を０％とすることによりラジオ画面１５ａのベースリング１５１、サテライトボタン１５２ａ〜１５２ｉ等が完全に見えなくなり、モニタ１６には図１１に示す画面が表示される。このようにいわゆるアルファブレンドの手法を使うことによって、モニタ１６の表示において視覚的な演出を高めることが可能で、一例として透過率が高いときにはその時間的変化率を大きく、そして透過率が低くなるほど時間的変化率を小さくすることによって、表示を見る者が新しい表示幕が見えだしてから（あるいははっきりし出してから）の変化を容易に認識することができるようになり、その見映えが非常に優れたものとなる。さらに、既に表示されている表示幕を消去させる際にも、上述したアルファブレンドの手法を用いて徐々に画面から消えていくように消去させてもよい。なお、新しい表示幕を奥側に表示し、その手前側に重ねて表示された背景画面を透過率０〜１００％に上げていくようにしても同様の効果が得られる。
また、既に表示されている表示幕はそのままとして、新たな表示幕をその上に瞬時に表示したり、下から上へ引き上げるようにして表示したり、アルファブレンドの手法を用いて徐々に表示させるようにしてもよい。
また、表示幕が表示されていないときにリストボタンをクリックして、表示幕を下方から引き上げるように露出表示し、再度リストボタンをクリックすることにより表示幕を下方へ引き下ろされるようにして退出消去させるものとして説明を行ったが、表示幕は瞬時に表示したり瞬時に消去したりしても良く、また、上述したアルファブレンドの手法を用いて徐々に表示させたり徐々に消去したりしてもよい。
さらにまた、表示幕の表示および消去、新たな表示幕の表示についての幕の引き上げ、引き下げ、瞬時表示、瞬時消去、アルファブレンドの手法を用いた表示及び消去等といった各種表示方法を任意に組み合わせてもよい。
【発明の効果】
本発明に係る画像表示装置は、以上説明したように構成したので、表示幕を表示・消去させる処理において一般ユーザが馴染み易い画面切り替え方法を用いることができ、各種情報が表示されるモニタの画像表示方法に操作上、外観上のわかり易さ、馴染み易さを与えることが可能となる。
【図面の簡単な説明】
【図１】本発明に係る表示制御装置を示した正面図である。
【図２】本発明に係る表示制御装置の本体部とディスプレイ部とを示した正面図である。
【図３】本発明に係る表示制御装置のリモコンを示した図であり、（ａ）はリモコンの正面図及び左右側面図であり、（ｂ）はリモコンの蓋体を開放させたときの正面図である。
【図４】本発明に係る表示制御装置の内部回路を示したブロック図である。
【図５】本発明に係る表示制御装置のデイスプレイ部に表示された時計表示画面を示した図である。
【図６】本発明に係る表示制御装置のデイスプレイ部に表示されたスタートメニュー画面を示した図であり、（ａ）はスタートメニュー画面の上側に位置するアイコンを示した図であり、（ｂ）はスタートメニュー画面の下側に位置するアイコンを示した図である。
【図７】本発明に係る表示制御装置のデイスプレイ部に表示されたラジオ画面を示した図である。
【図８】本発明に係る表示制御装置のデイスプレイ部に表示されたラジオ画面において、サテライトボタンをベースリングに沿って順次表示される様子を示した図である。
【図９】本発明に係る表示制御装置のデイスプレイ部に表示されたラジオ画面において、表示幕が引き上げられるように順次露出表示される様子を示した図である。
【図１０】本発明に係る表示制御装置のデイスプレイ部に表示されたラジオ画面において、放送局リストを示す表示幕が表示された画面を示した図である。
【図１１】本発明に係る表示制御装置のデイスプレイ部に表示されたラジオ画面において、プリセットリストを示す表示幕が表示された画面を示した図である。
【図１２】本発明に係る表示制御装置のデイスプレイ部に表示されたメディアプレーヤー画面（ＭＡＩＮ　ＳＬＯＴ）を示した図である。
【図１３】本発明に係る表示制御装置のデイスプレイ部に表示されたメディアプレーヤー画面において、表示幕が引き上げられるように順次露出表示される様子を示した図である。
【図１４】本発明に係る表示制御装置のディスプレイ部に表示されたメディアプレーヤー画面において、ＭＡＩＮ　ＳＬＯＴの情報（アルバムタイトル）を示す表示幕が表示された画面を示した図である。
【図１５】本発明に係る表示制御装置のデイスプレイ部に表示されたメディアプレーヤー画面（ＣＡＲＤ　ＳＬＯＴ）を示した図である。
【図１６】本発明に係る表示制御装置のデイスプレイ部に表示されたメディアプレーヤー画面において、ＣＡＲＤ　ＳＬＯＴの情報（アルバムタイトル）を示す表示幕が表示された画面を示した図である。
【図１７】本発明に係る表示制御装置のデイスプレイ部に表示されたメディアプレーヤー画面のプルダウンメニューにおいて、ライブラリ編集を選択する画面を示した図である。
【図１８】本発明に係る表示制御装置のデイスプレイ部に表示されたメディアプレーヤー画面において、音楽ＣＤのタイトルライブラリを編集するためのウインドが表示された画面を示した図である。
【図１９】本発明に係る表示制御装置のデイスプレイ部に表示されたメディアプレーヤー画面であって、図１８に示した音楽ＣＤのタイトルライブラリを編集するためのウインドにポップアップメニューが表示された画面を示した図である。
【図２０】本発明に係る表示制御装置のデイスプレイ部に表示されたメディアプレーヤー画面であって、図１８に示した音楽ＣＤのタイトルライブラリのタイトルを変更するためのウインドが表示された画面を示した図である。
【図２１】本発明に係る表示制御装置のデイスプレイ部に表示されたキーボード画面を示した図である。
【図２２】本発明に係る表示制御装置のデイスプレイ部に表示されたメディアプレーヤー画面であって、図１８に示した音楽ＣＤのタイトルライブラリのイメージ割付を行うためのウインドが表示された画面を示した図である。
【図２３】本発明に係る表示制御装置のデイスプレイ部に表示されたメディアプレーヤー画面であって、図１８に示した音楽ＣＤのタイトルライブラリのアイコン割付を行うためのウインドが表示された画面を示した図である。
【図２４】本発明に係る表示制御装置のデイスプレイ部に表示されたメディアプレーヤー画面であって、図１８に示した音楽ＣＤのタイトルライブラリを全て消去するか否かの確認をするウインドが表示された画面を示した図である。
【図２５】本発明に係る表示制御装置のデイスプレイ部に表示されたメディアプレーヤー画面であって、音楽ＣＤのタイトルライブラリを編集するためのウインドにおいてアルバム内の曲目が表示された画面を示した図である。
【図２６】本発明に係る表示制御装置のデイスプレイ部に表示されたメディアプレーヤー画面であって、音楽ＣＤのタイトルライブラリを編集するためのウインドであってアルバム内の曲目が表示されたウインド上にポップアップメニューが表示された画面を示した図である。
【図２７】本発明に係る表示制御装置において、モニタ画面にポップアップメニューを表示させるための処理を示したフローチャートである。
【図２８】本発明に係る表示制御装置において、モニタ画面にポップアップメニューを表示させるための処理を示したその他のフローチャートである。
【図２９】本発明に係る表示制御装置のデイスプレイ部に表示されたメディアプレーヤー画面であってプルダウンメニューのジャンル絞込みが選択されているときの画面を示した図である。
【図３０】本発明に係る表示制御装置のデイスプレイ部に表示されたメディアプレーヤー画面において、ジャンル絞込みを行うためのウインドが表示された画面を示した図である。
【図３１】図３０に示した画面において、クラッシックによる絞込みが行われた場合に表示される表示幕の画面を示した図である。
【図３２】本発明に係る表示制御装置のデイスプレイ部に表示されたメディアプレーヤー画面であってプルダウンメニューのジャンル絞込み解除が選択されているときの画面を示した図である。
【図３３】本発明に係る表示制御装置のディスプレイ部に表示されたコントロール画面を示した第１の図である。
【図３４】本発明に係る表示制御装置のディスプレイ部に表示されたコントロール画面を示した第２の図ある。
【図３５】図３３に示したコントロール画面において、サテライトボタンが消えている様子を示した図である。
【図３６】図３３に示したコントロール画面において、サテライトボタンが消えてしまった様子を示した図である。
【図３７】図３４に示したコントロール画面において、サテライトボタンが表示される様子を示した図である。
【図３８】本発明に係る表示制御装置のディスプレイ部に表示されたコントロール画面において、オーディオの設定画面のバス／トレブルの設定項目がフォーカスされている画面を示した図である。
【図３９】本発明に係る表示制御装置のディスプレイ部に表示されたコントロール画面において、バス／トレブルのレベル設定を行うためウインドが表示された画面を示した図である。
【図４０】本発明に係る表示制御装置のディスプレイ部に表示されたコントロール画面において、オーディオの設定画面を示す表示幕のフェダー／バランスの設定項目がフォーカスされている画面を示した図である。
【図４１】本発明に係る表示制御装置のディスプレイ部に表示されたコントロール画面において、フェダー／バランスのレベル設定を行うためのウインドが表示された画面を示した図である。
【図４２】本発明に係る表示制御装置のディスプレイ部に表示されたコントロール画面において、オーディオの設定画面を示す表示幕のラウドネスの設定項目がフォーカスされている画面を示した図である。
【図４３】本発明に係る表示制御装置のデイスプレイ部に表示されたスタートメニュー画面のコントロールパネルのアイコンにエクスクラメーション・マークが表示された画面を示した図である。
【図４４】本発明に係る表示制御装置のデイスプレイ部に表示されたラジオ画面に、エクスクラメーション・マークが表示された画面を示した図である。
【図４５】本発明に係る表示制御装置のデイスプレイ部に表示されたコントロールパネル画面に、エクスクラメーション・マークが表示された画面を示した図である。
【図４６】本発明に係る表示制御装置のデイスプレイ部に表示されたコントロールパネル画面であって、バッテリ状態を示す表示幕にエクスクラメーション・マークが表示された場合の画面を示した図である。
【図４７】本発明に係る表示制御装置のデイスプレイ部に表示されたメール画面を示した図である。
【図４８】本発明に係る表示制御装置のデイスプレイ部に表示されたメール画面において、受信箱の一覧を示す表示幕が表示された画面を示した図である。
【図４９】本発明に係る表示制御装置のデイスプレイ部に表示されたメール画面において、受信箱のメールの内容を示す表示幕が表示された画面を示した図である。
【図５０】本発明に係る表示制御装置のデイスプレイ部に表示されたメール画面において、受信箱のメールの内容の表示範囲を変更させた表示幕が表示された画面を示した図である。
【図５１】本発明に係る表示制御装置のデイスプレイ部に表示されたメール画面において、受信箱のメールの件名を示したウインドが表示された画面を示した図である。
【図５２】本発明に係る表示制御装置のデイスプレイ部に表示されたメール画面において、受信箱のメールの差出人を示したウインドが表示された画面を示した図である。
【図５３】本発明に係る表示制御装置のデイスプレイ部に表示されたメール画面において、受信箱のメールの本文を示したウインドが表示された画面を示した図である。
【図５４】本発明に係る表示制御装置のデイスプレイ部に表示されたメール画面において、受信箱のメールの宛先を示したウインドが表示された画面を示した図である。
【図５５】本発明に係る表示制御装置のデイスプレイ部に表示されたメール画面において、受信箱のメールの添付ファイル一覧を示したウインドが表示された画面を示した図である。
【図５６】図５５に示したメールの添付ファイル一覧を示したウインドにおいて、ポップアップメニューが表示された画面を示した図である。
【図５７】図４８に示した受信箱の内容を示す表示幕においてポップアップメニューが表示された画面を示した図である。
【図５８】図５７に示した受信箱の内容を示す表示幕のポップアップメニューにおいて、アドレス帳に追加を選択した場合に表示されるアドレスブック画面を示した図である。
【図５９】図５７に示した受信箱の内容を示す表示幕のポップアップメニューにおいて、削除を選択した場合に表示される削除の適否を確認するためのウインドが表示された画面を示した図である。
【図６０】本発明に係る表示制御装置のデイスプレイ部に表示されたメール画面において、メールの送受信が行われている様子を示した図である。
【図６１】本発明に係る表示制御装置のデイスプレイ部に表示されたメール作成画面を示した図である。
【図６２】本発明に係る表示制御装置のデイスプレイ部に表示されたメール画面において、送信箱の一覧を示す表示幕が表示された画面を示した図である。
【図６３】本発明に係る表示制御装置のデイスプレイ部に表示されたメール画面において、送信箱のメールの内容を示す表示幕が表示された画面を示した図である。
【図６４】図６２に示した、送信箱の一覧を示す表示幕にポップアップメニューが表示された画面を示した図である。
【図６５】本発明に係る表示制御装置のデイスプレイ部に表示された電話画面を示した図である。
【図６６】本発明に係る表示制御装置のデイスプレイ部に表示された電話画面において、電話番号リストの内容を示す表示幕が表示された画面を示した図である。
【図６７】本発明に係る表示制御装置のデイスプレイ部に表示された電話画面において、発信履歴の内容を示す表示幕が表示された画面を示した図である。
【図６８】本発明に係る表示制御装置のデイスプレイ部に表示された電話画面において、着信履歴の内容を示す表示幕が表示された画面を示した図である。
【図６９】図６８に示した表示幕のリストボタンをクリックすることにより電話番号が表示された電話画面を示した図である。
【図７０】本発明に係る表示制御装置のデイスプレイ部に表示された電話画面において、短縮番号１の人の電話番号が表示された画面を示した図である。
【図７１】本発明に係る表示制御装置のデイスプレイ部に表示された電話画面において、テンキーにより入力された電話番号が表示される画面を示した図である。
【図７２】本発明に係る表示制御装置のデイスプレイ部に表示されたスケジューラー画面を示した図である。
【図７３】本発明に係る表示制御装置のデイスプレイ部に表示されたスケジューラー画面において、カレンダーを示す表示幕が表示された画面を示した図である。
【図７４】本発明に係る表示制御装置のデイスプレイ部に表示されたスケジューラー画面において、日リストを示す表示幕が表示された画面を示した図である。
【図７５】本発明に係る表示制御装置のデイスプレイ部に表示されたスケジューラー画面において、直近リストを示す表示幕が表示された画面を示した図である。
【図７６】本発明に係る表示制御装置のデイスプレイ部に表示されたスケジューラー画面において、スケジュールの詳細内容を示す表示幕が表示された画面を示した図である。
【図７７】本発明に係る表示制御装置のデイスプレイ部に表示されたアドレス帳画面を示した図である。
【図７８】本発明に係る表示制御装置のデイスプレイ部に表示されたアドレス帳画面において、電話番号リストを示す表示幕が表示された画面を示した図である。
【図７９】図７８に示した電話番号リストを示す表示幕にポップアップメニューが表示された画面を示した図である。
【図８０】本発明に係る表示制御装置のデイスプレイ部に表示されたアドレス帳画面において、リスト者の各種情報を示す表示幕が表示された画面を示した図である。
【図８１】図８０に示したリスト者の各種情報を示す表示幕において図８０に示した情報以外の情報が表示された画面を示した図である。
【図８２】図８０及び図８１に示したリスト者の各種情報を示す表示幕において図８０及び図８１に示した情報以外の情報が表示された画面を示した図である。
【図８３】図８０〜図８２に示したリスト者の各種情報を示す表示幕において図８０〜図８２に示した情報以外の情報が表示された画面を示した図である。
【図８４】図８０に示したリスト者の各種情報を示す表示幕の自宅住所の内容を入力するためのウインドが表示された画面を示した図である。
【図８５】図８０に示したリスト者の各種情報を示す表示幕において図８０に示した自宅住所に関するポップアップメニューが表示された画面を示した図である。
【図８６】図８０に示したリスト者の各種情報を示す表示幕の自宅住所の内容がメール作成画面の本文に記入された画面を示した図である。
【図８７】図８２に示したリスト者の各種情報を示す表示幕の自宅ＴＥＬの内容を入力するためのウインドが表示された画面を示した図である。
【図８８】図８２に示したリスト者の各種情報を示す表示幕において図８２に示した自宅ＴＥＬに関するポップアップメニューが表示された画面を示した図である。
【図８９】図８２に示したリスト者の各種情報を示す表示幕の自宅ＴＥＬの番号を電話画面において入力させた画面を示した図である。
【図９０】図８２に示したリスト者の各種情報を示す表示幕の自宅ＴＥＬの番号から検索した場所をナビゲーション表示させた画面を示した図である。
【図９１】図８２に示したリスト者の各種情報を示す表示幕の自宅ＴＥＬの番号から検索した住所がメール作成画面の本文に記入された画面を示した図である。
【図９２】図８２に示したリスト者の各種情報を示す表示幕のアドレス１のメールアドレスの内容を入力するためのウインドが表示された画面を示した図である。
【図９３】図８２に示したリスト者の各種情報を示す表示幕において図８２に示したアドレス１のメールアドレスに関するポップアップメニューが表示された画面を示した図である。
【図９４】図８２に示したリスト者の各種情報を示す表示幕のアドレス１のメールアドレスの内容がメール作成画面の宛先に記入された画面を示した図である。
【図９５】図８２に示したリスト者の各種情報を示す表示幕のアドレス１のメールアドレスの内容がメール作成画面の本文に記入された画面を示した図である。
【図９６】図８３に示したリスト者の各種情報を示す表示幕のＵＲＬのアドレスの内容を入力するためのウインドが表示された画面を示した図である。
【図９７】図８３に示したリスト者の各種情報を示す表示幕において図８３に示したＵＲＬのアドレスに関するポップアップメニューが表示された画面を示した図である。
【図９８】図８３に示したリスト者の各種情報を示す表示幕のＵＲＬのアドレスをブラウザ画面で表示させた画面を示した図である。
【図９９】図８３に示したリスト者の各種情報を示す表示幕のＵＲＬのアドレスの内容がメール作成画面の本文に記入された画面を示した図である。
【図１００】図８３に示したリスト者の各種情報を示す表示幕のＰＯＩ１の内容を入力するためのウインドが表示された画面を示した図である
【図１０１】図８３に示したリスト者の各種情報を示す表示幕において図８３に示したＰＯＩ１に関するポップアップメニューが表示された画面を示した図である
【図１０２】図８３に示したリスト者の各種情報を示す表示幕のＰＯＩ１の情報から検索した場所をナビゲーション表示させた画面を示した図である。
【図１０３】図８３に示したリスト者の各種情報を示す表示幕のＰＯＩ１の内容がメール作成画面の本文に記入された画面を示した図である。
【図１０４】本発明に係る表示制御装置のデイスプレイ部に表示されたＴＶ放送画面を示した図である。
【図１０５】本発明に係る表示制御装置のデイスプレイ部に表示されたＴＶ放送画面において、ツールバーが表示された画面を示した図である。
【図１０６】本発明に係る表示制御装置のデイスプレイ部に表示されたナビゲーション画面を示した図である。
【図１０７】本発明に係る表示制御装置のデイスプレイ部に表示されたインターネット画面を示した図である。
【図１０８】本発明に係る表示制御装置のデイスプレイ部に表示されたインターネット画面において、ツールバーが表示された画面を示した図である。
【図１０９】本発明に係る表示制御装置のデイスプレイ部に表示されたインターネット画面において、他のツールバーが表示された画面を示した図である。
【図１１０】本発明に係る表示制御装置のデイスプレイ部に表示されたインターネット画面において、図１０９に示したツールバーの履歴を押下することにより、履歴を示した表示幕が画面に表示される様子を示した図である。
【図１１１】本発明に係る表示制御装置のデイスプレイ部に表示されたインターネット画面において、履歴を示した表示幕が表示された画面を示した図である。
【図１１２】本発明に係る表示制御装置のデイスプレイ部に表示されたインターネット画面に表示された履歴を示す表示幕において、ポップアップメニューが表示された画面を示した図である。
【図１１３】図１１２に示した履歴を示す表示幕に表示されたポップアップメニューにおいて、削除を選択した場合に表示される削除の適否を確認するためのウインドが表示された画面を示した図である。
【図１１４】本発明に係る表示制御装置のデイスプレイ部に表示されたインターネット画面において、図１０９に示したツールバーの画面メモを押下することにより、画面メモを示した表示幕が表示された画面を示した図である。
【図１１５】本発明に係る表示制御装置のデイスプレイ部に表示されたインターネット画面に表示された画面メモを示す表示幕において、ポップアップメニューが表示された画面を示した図である。
【図１１６】図１１５に示した画像メモを示す表示幕に表示されたポップアップメニューにおいて、変更項目を選択した場合に表示される確認用ウインドが表示された画面を示した図である。
【図１１７】図１１５に示した画像メモを示す表示幕に表示されたポップアップメニューにおいて、ブックマークについて項目を選択した場合に表示される確認用ウインドが表示された画面を示した図である。
【図１１８】図１１５に示した画像メモを示す表示幕に表示されたポップアップメニューにおいて、削除項目を選択した場合に表示される確認用ウインドが表示された画面を示した図である。
【図１１９】本発明に係る表示制御装置のコントロールパネル画面におけるコントローラーによるカーソルを移動例を示した説明図である。
【図１２０】本発明に係る表示制御装置の電話画面におけるコントローラーによるカーソルの移動例を示した説明図である。
【図１２１】本発明に係る表示制御装置のコントロールパネル画面におけるコントローラーによるカーソルの他の移動例を示した説明図である。
【図１２２】本発明に係る表示制御装置の電話画面におけるコントローラーによるカーソルの他の移動例を示した説明図である。
【符号の説明】
１　車載用パーソナルコンピュータ（表示制御装置）
８　カードスロット（読取機構）
９　ＵＳＢボート（読取機構）
１５　ディスプレイ部（モニタ）
１６　ディスプレイ（モニタ）
２０　コントローラー（選択手段）
５０、５３　キーマイコン（選択手段）
５２　タッチキーセンサ（選択手段）
６１　ＤＶＤメカモジュール（読取機構）
６４　ＣＰＵ（表示制御手段、演算処理手段）
６７　グラフィックチップ（表示制御手段）
１５１、２０１、３０１　ベースリング
１５２ａ〜１５２ｉ　サテライトボタン
１５３、２０３、３０３　情報表示部
１５４　リストボタン（第一のタブ）
１５５　表示幕
１５６、１６４、２０６　リストチェンジボタン（第二のタブ）
【図１】
2004061523.tif 000004
【図２】
2004061523.tif 000005
【図３】
2004061523.tif 000006
【図４】
2004061523.tif 000007
【図５】
2004061523.tif 000008
【図６】
2004061523.tif 000009
【図７】
2004061523.tif 000010
【図８】
2004061523.tif 000011
【図９】
2004061523.tif 000012
【図１０】
2004061523.tif 000013
【図１１】
2004061523.tif 000014
【図１２】
2004061523.tif 000015
【図１３】
2004061523.tif 000016
【図１４】
2004061523.tif 000017
【図１５】
2004061523.tif 000018
【図１６】
2004061523.tif 000019
【図１７】
2004061523.tif 000020
【図１８】
2004061523.tif 000021
【図１９】
2004061523.tif 000022
【図２０】
2004061523.tif 000023
【図２１】
2004061523.tif 000024
【図２２】
2004061523.tif 000025
【図２３】
2004061523.tif 000026
【図２４】
2004061523.tif 000027
【図２５】
2004061523.tif 000028
【図２６】
2004061523.tif 000029
【図２７】
2004061523.tif 000030
【図２８】
2004061523.tif 000031
【図２９】
2004061523.tif 000032
【図３０】
2004061523.tif 000033
【図３１】
2004061523.tif 000034
【図３２】
2004061523.tif 000035
【図３３】
2004061523.tif 000036
【図３４】
2004061523.tif 000037
【図３５】
2004061523.tif 000038
【図３６】
2004061523.tif 000039
【図３７】
2004061523.tif 000040
【図３８】
2004061523.tif 000041
【図３９】
2004061523.tif 000042
【図４０】
2004061523.tif 000043
【図４１】
2004061523.tif 000044
【図４２】
2004061523.tif 000045
【図４３】
2004061523.tif 000046
【図４４】
2004061523.tif 000047
【図４５】
2004061523.tif 000048
【図４６】
2004061523.tif 000049
【図４７】
2004061523.tif 000050
【図４８】
2004061523.tif 000051
【図４９】
2004061523.tif 000052
【図５０】
2004061523.tif 000053
【図５１】
2004061523.tif 000054
【図５２】
2004061523.tif 000055
【図５３】
2004061523.tif 000056
【図５４】
2004061523.tif 000057
【図５５】
2004061523.tif 000058
【図５６】
2004061523.tif 000059
【図５７】
2004061523.tif 000060
【図５８】
2004061523.tif 000061
【図５９】
2004061523.tif 000062
【図６０】
2004061523.tif 000063
【図６１】
2004061523.tif 000064
【図６２】
2004061523.tif 000065
【図６３】
2004061523.tif 000066
【図６４】
2004061523.tif 000067
【図６５】
2004061523.tif 000068
【図６６】
2004061523.tif 000069
【図６７】
2004061523.tif 000070
【図６８】
2004061523.tif 000071
【図６９】
2004061523.tif 000072
【図７０】
2004061523.tif 000073
【図７１】
2004061523.tif 000074
【図７２】
2004061523.tif 000075
【図７３】
2004061523.tif 000076
【図７４】
2004061523.tif 000077
【図７５】
2004061523.tif 000078
【図７６】
2004061523.tif 000079
【図７７】
2004061523.tif 000080
【図７８】
2004061523.tif 000081
【図７９】
2004061523.tif 000082
【図８０】
2004061523.tif 000083
【図８１】
2004061523.tif 000084
【図８２】
2004061523.tif 000085
【図８３】
2004061523.tif 000086
【図８４】
2004061523.tif 000087
【図８５】
2004061523.tif 000088
【図８６】
2004061523.tif 000089
【図８７】
2004061523.tif 000090
【図８８】
2004061523.tif 000091
【図８９】
2004061523.tif 000092
【図９０】
2004061523.tif 000093
【図９１】
2004061523.tif 000094
【図９２】
2004061523.tif 000095
【図９３】
2004061523.tif 000096
【図９４】
2004061523.tif 000097
【図９５】
2004061523.tif 000098
【図９６】
2004061523.tif 000099
【図９７】
2004061523.tif 000100
【図９８】
2004061523.tif 000101
【図９９】
2004061523.tif 000102
【図１００】
2004061523.tif 000103
【図１０１】
2004061523.tif 000104
【図１０２】
2004061523.tif 000105
【図１０３】
2004061523.tif 000106
【図１０４】
2004061523.tif 000107
【図１０５】
2004061523.tif 000108
【図１０６】
2004061523.tif 000109
【図１０７】
2004061523.tif 000110
【図１０８】
2004061523.tif 000111
【図１０９】
2004061523.tif 000112
【図１１０】
2004061523.tif 000113
【図１１１】
2004061523.tif 000114
【図１１２】
2004061523.tif 000115
【図１１３】
2004061523.tif 000116
【図１１４】
2004061523.tif 000117
【図１１５】
2004061523.tif 000118
【図１１６】
2004061523.tif 000119
【図１１７】
2004061523.tif 000120
【図１１８】
2004061523.tif 000121
【図１１９】
2004061523.tif 000122
【図１２０】
2004061523.tif 000123
【図１２１】
2004061523.tif 000124
【図１２２】
2004061523.tif 000125
【手続補正書】
【提出日】平成14年7月29日(2002.7.29)
【手続補正１】
【補正対象書類名】図面
【補正対象項目名】図１３
【補正方法】変更
【補正の内容】
【図１３】
2004061523.tif 000126
【手続補正２】
【補正対象書類名】図面
【補正対象項目名】図１４
【補正方法】変更
【補正の内容】
【図１４】
2004061523.tif 000127
【手続補正３】
【補正対象書類名】図面
【補正対象項目名】図１５
【補正方法】変更
【補正の内容】
【図１５】
2004061523.tif 000128
【手続補正４】
【補正対象書類名】図面
【補正対象項目名】図１６
【補正方法】変更
【補正の内容】
【図１６】
2004061523.tif 000129